(57)【要約】      （修正有）【課題】印刷装置に対する液体収容容器の位置決めを行う端子接続部及びカートリッジを提供する。【解決手段】端子接続部９５は、装置側端子部と電気的に接続可能な端子５２１と、装置側端子部と端子とが接触する接触部５２２と、端子が設けられる基板５０と、基板を支持する支持部９８６と、位置決め部が交差方向に動くことを規制する凸部９１５と、を有し、印刷装置に装着された状態において、複数の接触部は、装着方向に所定の間隔をおいて配置される複数の列を形成し、複数の接触部を通る仮想面ＶＳは、装着方向に対して傾斜し、凸部は、支持部から離れる方向に向かって突出する。【選択図】図３８
2017056706.tif 000002
【特許請求の範囲】
【請求項１】
端子接続部が装着可能な装着方向に交差する交差方向に移動可能な装置側端子部と、位置決め部と、を備える印刷装置、に装着可能な端子接続部であって、
前記装置側端子部と電気的に接続可能な端子と、
前記装置側端子部と前記端子とが接触する接触部と、
前記端子が設けられる基板と、
前記基板を支持する支持部と、
前記位置決め部が前記交差方向に動くことを規制する凸部と、
を有し、
前記印刷装置に装着された状態において、複数の前記接触部は、装着方向に所定の間隔をおいて配置される複数の列を形成し、
複数の前記接触部を通る仮想面は、前記装着方向に対して傾斜し、
前記凸部は、前記支持部から離れる方向に向かって突出する、端子接続部。
【請求項２】
請求項１に記載の端子接続部であって、
前記凸部は、前記支持部から前記装着方向の前方に向かって突出することを特徴とする端子接続部。
【請求項３】
請求項１または請求項２に記載の端子接続部であって、
前記凸部は、前記位置決め部に設けられた位置決め凹部と係合することを特徴とする端子接続部。
【請求項４】
請求項１から請求項３のいずれか１項に記載の端子接続部であって、
複数の前記凸部の一部は、互いに対向するように前記交差方向に突出することを特徴とする端子接続部。
【請求項５】
請求項１から請求項４のいずれか１項に記載の端子接続部であって、
前記凸部の下部は前記位置決め部と接することを特徴とする端子接続部。
【請求項６】
請求項１から請求項５のいずれか１項に記載の端子接続部であって、
前記凸部の側部は前記位置決め部と接することを特徴とする端子接続部。
【請求項７】
請求項１に記載の端子接続部であって、
前記凸部は、前記支持部から上方に向かって突出することを特徴とする端子接続部。
【請求項８】
請求項１または請求項７に記載の端子接続部であって、
前記凸部は、前記位置決め部に設けられた位置決め凸部と係合することを特徴とする端子接続部。
【請求項９】
請求項７または請求項８に記載の端子接続部であって、
複数の前記凸部の一部は、互いに対向するように前記交差方向に突出することを特徴とする端子接続部。
【請求項１０】
請求項７から請求項９のいずれか１項に記載の端子接続部であって、
前記凸部の下部は前記位置決め部と接することを特徴とする端子接続部。
【請求項１１】
請求項７から請求項１０のいずれか１項に記載の端子接続部であって、
前記凸部の側部は前記位置決め部と接することを特徴とする端子接続部。
【請求項１２】
端子接続部が装着可能な装着方向に交差する交差方向に移動可能な装置側端子部と、位置決め部と、を備える印刷装置、に装着可能な端子接続部であって、
前記装置側端子部と電気的に接続可能な端子と、
前記装置側端子部と前記端子とが接触する接触部と、
前記端子が設けられる基板と、
前記基板を支持する支持部と、
前記位置決め部が前記交差方向に動くことを規制する凸部と、
を有し、
前記印刷装置に装着された状態において、複数の前記接触部は、装着方向に所定の間隔をおいて配置される複数の列を形成し、
複数の前記接触部を通る仮想面は、前記装着方向に対して傾斜し、
前記凸部は、前記支持部から離れる方向に向かって突出する、カートリッジ。
【請求項１３】
請求項１２に記載のカートリッジであって、
前記凸部は、前記支持部から前記装着方向の前方に向かって突出することを特徴とするカートリッジ。
【請求項１４】
請求項１２または請求項１３に記載のカートリッジであって、
前記凸部は、前記位置決め部に設けられた位置決め凹部と係合することを特徴とするカートリッジ。
【請求項１５】
請求項１２から請求項１４のいずれか１項に記載のカートリッジであって、
複数の前記凸部の一部は、互いに対向するように前記交差方向に突出することを特徴とするカートリッジ。
【請求項１６】
請求項１２から請求項１５のいずれか１項に記載のカートリッジであって、
前記凸部の下部は前記位置決め部と接することを特徴とするカートリッジ。
【請求項１７】
請求項１２から請求項１６のいずれか１項に記載のカートリッジであって、
前記凸部の側部は前記位置決め部と接することを特徴とするカートリッジ。
【請求項１８】
請求項１２に記載のカートリッジであって、
前記凸部は、前記支持部から上方に向かって突出することを特徴とするカートリッジ。
【請求項１９】
請求項１２または請求項１８に記載のカートリッジであって、
前記凸部は、前記位置決め部に設けられた位置決め凸部と係合することを特徴とするカートリッジ。
【請求項２０】
請求項１８または請求項１９に記載のカートリッジであって、
複数の前記凸部の一部は、互いに対向するように前記交差方向に突出することを特徴とするカートリッジ。
【請求項２１】
請求項１８から請求項２０のいずれか１項に記載のカートリッジであって、
前記凸部の下部は前記位置決め部と接することを特徴とするカートリッジ。
【請求項２２】
請求項１８から請求項２１のいずれか１項に記載のカートリッジであって、
前記凸部の側部は前記位置決め部と接することを特徴とするカートリッジ。
【発明の詳細な説明】
【技術分野】
【０００１】
本発明は、端子接続部及びカートリッジに関する。
【背景技術】
【０００２】
従来、印刷装置に装着可能な液体収容容器が知られている（例えば、特許文献１）。特許文献１では、印刷装置に設けられた凸部が、液体収容容器に設けられた凹部と係合することにより、印刷装置に対する液体収容容器の位置決めを行う態様が開示されている。
【先行技術文献】
【特許文献】
【０００３】
【特許文献１】特開２０１４−６１６９３号公報
【発明の概要】
【発明が解決しようとする課題】
【０００４】
しかしながら、印刷装置に対する液体収容容器の位置決めを行う態様として、印刷装置の構造に応じた他の態様が望まれていた。このような課題は、液体収容容器に限らず、印刷材を供給するための他の容器やカートリッジに共通する課題である。
【課題を解決するための手段】
【０００５】
本発明は、上記の課題の少なくとも一部を解決するためになされたものであり、以下の形態または適用例として実現することが可能である。
【０００６】
（１）本発明の一形態によれば、端子接続部が装着可能な装着方向に交差する交差方向に移動可能な装置側端子部と、位置決め部と、を備える印刷装置、に装着可能な端子接続が提供される。この端子接続部は、前記装置側端子部と電気的に接続可能な端子と、前記装置側端子部と前記端子とが接触する接触部と、前記端子が設けられる基板と、前記基板を支持する支持部と、前記位置決め部が前記交差方向に動くことを規制する凸部と、を有し、前記印刷装置に装着された状態において、複数の前記接触部は、装着方向に所定の間隔をおいて配置される複数の列を形成し、複数の前記接触部を通る仮想面は、前記装着方向に対して傾斜し、前記凸部は、前記支持部から離れる方向に向かって突出する。
この形態によれば、凸部により位置決め部が交差方向に動くことを規制することができる。
【０００７】
（２）上記形態の端子接続部であって、前記凸部は、前記支持部から前記装着方向の前方に向かって突出していてもよい。
上記形態によれば、凸部により位置決め部が交差方向に動くことを規制することができる。
【０００８】
（３）上記形態の端子接続部であって、前記凸部は、前記位置決め部に設けられた位置決め凹部と係合してもよい。
上記形態によれば、凸部が位置決め部に設けられた位置決め凹部と係合することにより位置決め部が交差方向に動くことを規制することができる。
【０００９】
（４）上記形態の端子接続部であって、複数の前記凸部の一部は、互いに対向するように前記交差方向に突出してもよい。
上記形態によれば、複数の凸部の一部が、互いに対向するように前記交差方向に突出することにより、端子接続部が印刷装置から容易に抜けることを防止できる。
【００１０】
（５）上記形態の端子接続部であって、前記凸部の下部は前記位置決め部と接してもよい。
上記形態によれば、凸部の下部が位置決め部と接することにより、位置決め部が交差方向に動くことを規制することができる。
【００１１】
（６）上記形態の端子接続部であって、前記凸部の側部は前記位置決め部と接してもよい。
上記形態によれば、凸部の側部が位置決め部と接することにより、位置決め部が交差方向に動くことを規制することができる。
【００１２】
（７）上記形態の端子接続部であって、前記凸部は、前記支持部から上方に向かって突出していてもよい。
上記形態によれば、凸部により位置決め部が交差方向に動くことを規制することができる。
【００１３】
（８）上記形態の端子接続部であって、前記凸部は、前記位置決め部に設けられた位置決め凸部と係合してもよい。
上記形態によれば、凸部が位置決め部に設けられた位置決め凸部と係合することにより位置決め部が交差方向に動くことを規制することができる。
【００１４】
（９）上記形態の端子接続部であって、複数の前記凸部の一部は、互いに対向するように前記交差方向に突出してもよい。
上記形態によれば、複数の凸部の一部が、互いに対向するように前記交差方向に突出することにより、端子接続部が印刷装置から容易に抜けることを防止できる。
【００１５】
（１０）上記形態の端子接続部であって、前記凸部の下部は前記位置決め部と接してもよい。
上記形態によれば、凸部の下部が位置決め部と接することにより、位置決め部が交差方向に動くことを規制することができる。
【００１６】
（１１）上記形態の端子接続部であって、前記凸部の側部は前記位置決め部と接してもよい。
上記形態によれば、凸部の側部が位置決め部と接することにより、位置決め部が交差方向に動くことを規制することができる。
【００１７】
なお、本発明は、種々の形態で実現することが可能であり、上述した端子接続部としての構成のほか、カートリッジ、カートリッジの製造方法、印刷装置、印刷装置の製造方法等の態様で実現することができる。
【図面の簡単な説明】
【００１８】
【図１】印刷材供給システム１の構成を示す斜視図である。
【図２】装着されたカートリッジ装着部６を示す外観斜視図である。
【図３】図２の２−２断面図である。
【図４】カートリッジ装着部６側に流通する部分の拡大図である。
【図５】カートリッジ装着部６の第１の外観斜視図である。
【図６】カートリッジ装着部６の第２の外観斜視図である。
【図７】カートリッジ装着部６の第３の外観斜視図である。
【図８】カートリッジ装着部６の第４の外観斜視図である。
【図９】カートリッジ装着部６の第５の外観斜視図である。
【図１０】装置側前壁部６２と周辺部材の第１の外観斜視図である。
【図１１】装置側前壁部６２と周辺部材の第２の外観斜視図である。
【図１２】装置側前壁部６２と周辺部材の分解斜視図である。
【図１３】図１０の１０−１０断面図である。
【図１４】装置側端子部７０の第１の分解斜視図である。
【図１５】装置側端子部７０の第２の分解斜視図である。
【図１６】装置側端子部７０の第１の外観斜視図である。
【図１７】装置側端子部７０の第２の外観斜視図である。
【図１８】図１７の１７−１７断面図である。
【図１９】カートリッジ４の第１の外観斜視図である。
【図２０】カートリッジ４の第２の外観斜視図である。
【図２１】カートリッジ４の正面図である。
【図２２】カートリッジ４の背面図である。
【図２３】カートリッジ４の上面図である。
【図２４】カートリッジ４の底面図である。
【図２５】カートリッジ４の第１の側面図である。
【図２６】カートリッジ４の第２の側面図である。
【図２７】凹部９０近傍の外観斜視図である。
【図２８】凹部９０近傍の正面図である。
【図２９】図２８の２８ａ−２８ａ断面図である。
【図３０】図２８の２８ｂ−２８ｂ断面図である。
【図３１】装置側端子部７０と回路基板５０の接続状態を説明するための図である。
【図３２】装着状態における２８ａ−２８ａ断面図である。
【図３３】接触態様を説明するための第１の図である。
【図３４】接触態様を説明するための第２の図である。
【図３５】接触態様を説明するための第３の図である。
【図３６】接触態様を説明するための第４の図である。
【図３７】カートリッジ４の分解斜視図である。
【図３８】端子収容部９００Ａ近傍の外観斜視図である。
【図３９】端子収容部９００Ａ近傍を＋Ｚ軸方向側から見た図である。
【図４０】端子収容部９００Ａ近傍を−Ｘ軸方向側から見た図である。
【図４１】端子収容部９００Ａ近傍の正面図である。
【図４２】カートリッジ４の凸部９１５とプリンター１０の位置決め凹部７５４とが係合されている状態を示すＹＺ平面における断面図である。
【図４３】カートリッジ４の凸部９１５とプリンター１０の位置決め凹部７５４とが係合されている状態を示すＸＹ平面における断面図である。
【図４４】端子収容部９００Ｂ近傍の外観斜視図である。
【図４５】カートリッジ４がプリンター１０に装着された状態における、カートリッジ４の部材９１８と装置側端子部７０の位置決め凸部７５６との関係を示すＸＺ断面図である。
【図４６】端子収容部９００Ｃ近傍の外観斜視図である。
【図４７】カートリッジ４の凸部９１５Ｃとプリンター１０の凹部７７７とが係合されている状態を示す外観斜視図である。
【図４８】端子収容部９００Ｄ近傍の外観斜視図である。
【図４９】端子収容部９００Ｄ近傍の正面図である。
【図５０】端子収容部９００Ｅ近傍の外観斜視図である。
【図５１】端子収容部９００Ｆ近傍の外観斜視図である。
【図５２】カートリッジ４Ｃの外観斜視図である。
【図５３】カートリッジ４Ｃの−Ｙ軸方向側に設けられた回路基板５０Ｃ近傍の拡大図である。
【図５４】回路基板と記憶装置とが別体のカートリッジ４Ｃの一例を示す図である。
【図５５】回路基板５０と支持部９８８とが一体のカートリッジ４Ｄの例を示す上面図である。
【図５６】内部にインクが収容されていないカートリッジ４Ｅの例を示す図である。
【図５７】内部にインクが収容されていないカートリッジ４Ｆの例を示す図である。
【図５８】プリンター１０に装着されていない状態において、装着方向（−Ｙ軸方向）に対して傾斜していない回路基板５０の例を示す図である。
【図５９】プリンター１０に装着されていない状態において、装着方向（−Ｙ軸方向）に対して傾斜していない回路基板５０の例を示す図である。
【図６０】カートリッジ４の凸部９１５Ｃおよび凸部９１５Ｄとプリンター１０の凹部７７７および位置決め凸部７５６とが係合されている状態を示す外観斜視図である。
【発明を実施するための形態】
【００１９】
Ａ．第１実施例：
Ａ−１．印刷材供給システムの全体構成：
図１は、印刷材供給システム１の構成を示す斜視図である。図１には、互いに直交する３つの空間軸であるＸＹＺ軸が描かれている。Ｘ軸，Ｙ軸，Ｚ軸の矢印が向いている方向は、それぞれＸ軸，Ｙ軸，Ｚ軸に沿った正の方向を示している。Ｘ軸，Ｙ軸，Ｚ軸に沿った正の方向を、それぞれ＋Ｘ軸方向，＋Ｙ軸方向，＋Ｚ軸方向とする。Ｘ軸，Ｙ軸，Ｚ軸の矢印が向いている方向と逆の方向が、それぞれＸ軸，Ｙ軸，Ｚ軸に沿った負の方向である。Ｘ軸，Ｙ軸，Ｚ軸に沿った負の方向を、それぞれ−Ｘ軸方向，−Ｙ軸方向，−Ｚ軸方向とする。Ｘ軸，Ｙ軸，Ｚ軸に沿った方向で正負を問わないものを、それぞれＸ軸方向，Ｙ軸方向，Ｚ軸方向とよぶ。これ以降に示す図及び説明についても同様である。他の図に描かれたＸＹＺ軸は、図１のＸＹＺ軸に方向が対応している。印刷材供給システム１は、印刷装置としてのプリンター１０と、カートリッジ４とを備える。
【００２０】
本実施形態のプリンター１０は、インクをヘッド２２から吐出するインクジェットプリンターである。このプリンター１０は、ポスター等の大判の用紙（Ａ２〜Ａ０等）に印刷を行う大型のプリンターである。プリンター１０は、カートリッジ装着部６と、制御部３１と、キャリッジ２０と、ヘッド２２と、駆動機構３０とを備える。また、プリンター１０は、プリンター１０の動作を利用者が操作するための操作ボタン１５を備える。
【００２１】
カートリッジ装着部６には、複数のカートリッジ４がそれぞれ着脱可能に装着される。本実施例では、４色（ブラック、イエロー、マゼンダ、シアン）のインクに対応して４種類のカートリッジ４が１つずつ、すなわち合計４つのカートリッジ４がカートリッジ装着部６に装着される。本実施例のプリンター１０では、前面（＋Ｙ軸方向側の面）に交換用カバー１３が設けられている。交換用カバー１３の＋Ｚ軸方向側を手前側（＋Ｙ軸方向側）に倒すと、カートリッジ装着部６の開口が現れて、カートリッジ４の着脱が可能となる。カートリッジ装着部６にカートリッジ４が装着されると、チューブ２４を介してキャリッジ２０に設けられたヘッド２２にインクが供給可能となる。本実施例では、プリンター１０のポンプ機構（図示せず）によって、カートリッジ４内のインクを吸引することで、インクがヘッド２２に供給される。なお、チューブ２４は、インクの種類毎に設けられている。なお、カートリッジ４がカートリッジ装着部６に装着された状態を「装着状態」とも呼ぶ。
【００２２】
ヘッド２２には、インクの種類毎にノズルが設けられている。ヘッド２２は、噴射ノズルから印刷用紙２に向かってインクを噴射して文字や画像等のデータを印刷する。なお、カートリッジ４をカートリッジ装着部６に装着する様子や、カートリッジ４及びカートリッジ装着部６の詳細構成については後述する。なお、本実施例では、プリンター１０は、カートリッジ装着部６がキャリッジ２０の動きとは連動しない、いわゆる「オフキャリッジタイプ」と呼ばれるプリンターである。キャリッジ２０にカートリッジ装着部６が設けられ、キャリッジ２０と共にカートリッジ装着部６が移動する、いわゆる「オンキャリッジタイプ」と呼ばれるプリンターにも本発明は適用できる。
【００２３】
制御部３１は、プリンター１０の各部の制御や、カートリッジ４との信号の授受を行う。キャリッジ２０は、ヘッド２２を印刷用紙２に対して相対的に移動させる。
【００２４】
駆動機構３０は、制御部３１からの制御信号に基づいてキャリッジを往復動させる。駆動機構３０は、タイミングベルト３２と、駆動モーター３４とを備える。タイミングベルト３２を介して駆動モーター３４の動力をキャリッジ２０に伝達することによって、キャリッジ２０が主走査方向（Ｘ軸方向）に往復移動する。また、プリンター１０は、印刷用紙２を副走査方向（＋Ｙ軸方向）に移動させるための搬送機構を備える。印刷が行なわれる際には、搬送機構によって印刷用紙２が副走査方向に移動し、前面カバー１１上に印刷完了後の印刷用紙２が出力される。
【００２５】
また、キャリッジ２０を主走査方向に移動させた印刷領域外の位置には、ホームポジションと呼ばれる領域が設けられており、ホームポジションには、正常に印刷可能なようにメンテナンスを行うメンテナンス機構が搭載されている。メンテナンス機構は、ヘッド２２の底面側（印刷用紙２に向いた側）でノズルが形成されている面（ノズル面）に押し付けられて、噴射ノズルを取り囲むように閉空間を形成するキャップ部材８や、ヘッド２２のノズル面に押し付けるためにキャップ部材８を昇降させる昇降機構（図示せず）や、キャップ部材８がヘッド２２のノズル面に押し付けられることで形成される閉空間に負圧を導入する吸引ポンプ（図示せず）などから構成されている。
【００２６】
本実施例では、印刷材供給システム１（プリンター１０、カートリッジ４）の使用状態において、印刷用紙２を搬送する副走査方向に沿った軸をＹ軸とし、重力方向（上下方向）に沿った軸をＺ軸とし、キャリッジ２０の移動方向（左右方向）に沿った軸をＸ軸とする。ここで、「印刷材供給システム１の使用状態」とは、水平な面に印刷材供給システム１が設置された状態をいう。また、本実施例では、副走査方向（前方向）を＋Ｙ軸方向、その逆方向（後方向）を−Ｙ軸方向とし、重力方向の下方から上方に向かう方向（上方向）を＋Ｚ軸方向とし、その逆方向（下方向）を−Ｚ軸方向とする。また、印刷材供給システム１を前側（＋Ｙ軸方向側）から見たときに、右側から左側に向かう方向を＋Ｘ軸方向とし、その逆方向を−Ｘ軸方向とする。また本実施例では、カートリッジ４がカートリッジ装着部６に装着される際の挿入方向が−Ｙ軸方向ともなり、カートリッジ４がカートリッジ装着部６から取り外される際の方向が＋Ｙ軸方向ともなる。よって、カートリッジ装着部６のうち、−Ｙ軸方向側を奥側とも呼び、＋Ｙ軸方向側を手前側とも呼ぶ。また、本実施例では、複数のカートリッジ４の配列方向がＸ軸方向ともなる。
【００２７】
図２は、装着状態におけるカートリッジ装着部６を示す外観斜視図である。図２には、４つのカートリッジ４がカートリッジ装着部６の各スロットに装着された様子を示している。４つのスロットのうち、−Ｘ軸方向側の１つのスロットを除き、３つのスロットでは、レバー６７２が押し下げられている。このように、カートリッジ装着部６にカートリッジ４が装着された後、レバー６７２が押し下げられることで、カートリッジ４の動きを規制して、カートリッジ４がカートリッジ装着部６から抜け出すことを防止する。カートリッジ４をカートリッジ装着部６から取り外す際には、レバー６７２を押上げて規制を解除して、カートリッジ４を取り外す。レバー６７２は、カートリッジ４が着脱する際に通過する挿入口６９が形成された壁部６７にＺ軸方向に移動可能に設けられている。装着されたカートリッジ４のインクは、ポンプ機構７が駆動することでチューブ２４に流通する。なお、カートリッジ装着部６の詳細構成は後述する。
【００２８】
図３は、図２の２−２断面図である。図３は、カートリッジ装着部６の一部とカートリッジ４を図示している。カートリッジ４がカートリッジ装着部６に装着されると、ポンプ機構７の駆動により、カートリッジ４の印刷材収容部４５０からインクが矢印に示すようにチューブ２４に流通する。
【００２９】
図４は、図３のうち、−Ｙ軸方向側の部分拡大図である。装着状態では、カートリッジ４とカートリッジ装着部６の各構成部材が以下のように配置される。
【００３０】
すなわち、カートリッジ４の印刷材導出管４８４に、カートリッジ装着部６の印刷材供給管６４２が挿入されて接続される。印刷材導出管４８４は、印刷材収容部４５０のインクを外部（印刷材供給管６４２）へ流通させる。印刷材供給管６４２は、印刷材導出管４８４から排出されたインクを、ヘッドに向けて送出すべく流通させる。また、装着状態では、カートリッジ装着部６のロッド６６２がカートリッジ４のレバー部材４９０に当接する。ロッド６６２とレバー部材４９０は、印刷材収容部４５０のインクが無くなった状態（「インクエンド状態」とも呼ぶ。）をプリンター１０側で検出するために用いられる。詳細にはロッド６６２の変位をセンサー１３８で検出することでインクエンド状態を検出する。ここで、インクエンド状態とは、カートリッジ４の内部のインクが無くなった状態、あるいは、インクが残り少なくなった状態をいう。
【００３１】
また、カートリッジ４の回路基板５０表面に設けられたカートリッジ側端子群（図示せず）の各端子と、カートリッジ装着部６の装置側端子群７２１の対応する各端子とが接触する。装置側端子群７２１は、コネクター７３９と電気的に接続されており、コネクター７３９に接続された配線（図示せず）がプリンター１０の制御部３１に電気的に接続されている。これにより、回路基板５０の記憶装置と制御部３１とが電気的に接続され、制御部３１と回路基板５０との間で信号の授受が可能となる。ここで、装置側端子群７２１やコネクター７３９は、装置側端子部７０の構成部材である。なお、装置側端子部７０の詳細構成は後述する。
【００３２】
Ａ−２．カートリッジ装着部の詳細構成：
図５〜図９を用いてカートリッジ装着部６の詳細構成について説明する。図５は、カートリッジ装着部６の第１の外観斜視図である。図６は、カートリッジ装着部６の第２の外観斜視図である。図７は、カートリッジ装着部６の第３の外観斜視図である。図８は、カートリッジ装着部６の第４の外観斜視図である。図９は、カートリッジ装着部６の第５の外観斜視図である。なお、図５及び図８には、カートリッジ装着部６に取り付けられたチューブ２４が図示されている。また、図６，７，９は、カートリッジ装着部６の内部の構成が視認できるように、一部の構成の図示は省略している。なお、本実施例のカートリッジ装着部６は、４つのカートリッジ４を独立して着脱できるが、プリンター１０の仕様に応じてカートリッジ４の着脱個数を増加できるように構成されている。すなわち、図６に示すように、最も＋Ｘ軸方向側には、増やしたカートリッジ４が装着できるように予備の装着空間や部材が設けられている。
【００３３】
図５に示すように、カートリッジ装着部６は、以下に述べる６つの壁部によってカートリッジ４を収容するカートリッジ収容室６１が形成されている。カートリッジ収容室６１は、略直方体形状である。カートリッジ収容室６１の形状は、カートリッジ４の外観形状に対応している。なお、カートリッジ収容室６１のうち、４つのカートリッジ４のうちの１つを収容する部分をそれぞれ、スロットとも呼ぶ。
【００３４】
カートリッジ装着部６は、装置側前壁部６２と、第１の装置側側壁部６３と、第２の装置側側壁部６４とを備える。また、カートリッジ装着部６は、第３の装置側側壁部６５と、第４の装置側側壁部６６と、開口壁部６７と、を備える。これらの６つの壁部６２，６３，６４，６５，６６，６７によってカートリッジ収容室６１が区画形成されている。６つの壁部６２，６３，６４，６５，６６，６７の外形はそれぞれ、略長方形状である。
【００３５】
図５及び図６に示すように、装置側前壁部６２は、カートリッジ収容室６１に対して−Ｙ軸方向側に位置する。装置側前壁部６２は、プリンター１０の使用状態において、垂直な壁部である。
【００３６】
図６に示すように、装置側前壁部６２には、装置側端子部７０と、印刷材供給機構６４０と、ロッド６６２が設けられている。詳細には、＋Ｚ軸方向から−Ｚ軸方向に向かうに順に、装置側端子部７０、印刷材供給機構６４０、ロッド６６２が配列されている。装置側端子部７０及び印刷材供給機構６４０は、装置側前壁部６２の＋Ｙ軸方向側（カートリッジ収容室６１が位置する側）の面に設けられている。また、ロッド６６２は、装置側前壁部６２をＹ軸方向に貫通するように設けられている。装置側前壁部６２の−Ｙ軸方向側（カートリッジ収容室６１とは反対の側）には、ポンプ機構７が設けられている。
【００３７】
印刷材供給機構６４０は上述の印刷材供給管６４２を備え、カートリッジ４内のインクをプリンター１０側に流通させるために利用される。装置側端子部７０は、上述の装置側端子群７２１（図７）及びコネクター７３９（図６）を備え、カートリッジ４とプリンター１０を電気的に接続するために利用される。図６に示すように装置側端子部７０は、印刷材供給管６４２よりも第１の装置側側壁部６３側（＋Ｚ軸方向側）に設けられている。ロッド６６２は、カートリッジ４のインクエンド状態をプリンター１０側で検出するために用いられる。すなわち、ロッド６６２は、後述するプリンター１０の検出機構の一部を構成する。また、ロッド６６２は、カートリッジ４がカートリッジ装着部６に装着される際に、正しい装着位置からの位置ずれを抑制するための位置決め部材としても機能する。なお、装置側端子部７０、印刷材供給機構６４０、及び、ロッド６６２のそれぞれの詳細構成は後述する。
【００３８】
図５に示すように、第１の装置側側壁部６３は、カートリッジ収容室６１に対して＋Ｚ軸方向側に位置する。第１の装置側側壁部６３は、装置側前壁部６２と交差する向きに設けられている。本実施例では、第１の装置側側壁部６３は、装置側前壁部６２と直交する向きに設けられている。第１の装置側側壁部６３は、プリンター１０の使用状態において、水平な壁部である。第１の装置側側壁部６３は、カートリッジ装着部６の上面を構成する。なお、本明細書では、「交わる」や「交差する」とは、（i）２つの要素が相互に交差し実際に交わる状態、（ii）一方の要素を延ばした場合に他方の要素に交わる状態、及び、（iii）相互の要素をそれぞれ延ばした場合に互いの要素が交わる状態、のいずれかの状態であることを意味する。
【００３９】
図７に示すように、第１の装置側側壁部６３はカートリッジ４を装着位置まで案内するための第１のレール６８２を有する。第１のレール６８２は、少なくとも装着されるカートリッジ４の個数に対応して設けられている。本実施例では、実際に装着されるカートリッジ４の個数４つと、予備１つの計５つの第１のレール６８２が設けられている。第１のレール６８２はＹ軸方向に延びる溝であり、カートリッジ４の一部分が挿入される。また、第１のレール６８２の−Ｙ軸方向側端部には、係止部材としての板ばね６８４が設けられている。装着状態では、板ばね６８４がカートリッジ４を係止することで、カートリッジ装着部６からカートリッジ４が抜け出すことを防止する。
【００４０】
図５、図６及び図９に示すように、第２の装置側側壁部６４は、カートリッジ収容室６１に対して−Ｚ軸方向側に位置する。第２の装置側側壁部６４は、カートリッジ収容室６１を挟んで第１の装置側側壁部６３と対向する。第２の装置側側壁部６４は、装置側前壁部６２と交差する向きに設けられている。本実施例では、第２の装置側側壁部６４は、装置側前壁部６２と直交する。第２の装置側側壁部６４は、プリンター１０の使用状態において、水平な壁部である。第２の装置側側壁部６４は、カートリッジ装着部６の底面を構成する。
【００４１】
図６に示すように、第２の装置側側壁部６４はカートリッジ４を装着位置まで案内するための第２のレール６０２を有する。第２のレール６０２は、少なくとも装着されるカートリッジの個数に対応して設けられている。本実施例では、第２のレール６０２は第１のレール６８２と同様に５つ設けられている。第２のレール６０２はＹ軸方向に延びる溝であり、カートリッジ４の一部分が挿入される。また、第２のレール６０２の−Ｙ軸方向側端部には、係止部材としての板ばね６０４が設けられている。装着状態では、板ばね６０４がカートリッジ４を係止することで、カートリッジ装着部６からカートリッジが抜け出すことを防止する。同じカートリッジ４が装着される第１のレール６８２と第２のレール６０２は、カートリッジ収容室６１を挟んで向かい合う位置に設けられている。
【００４２】
第１のレール６８２と第２のレール６０２とはＸ軸方向の寸法が異なる。詳細には、第１のレール６８２は第２のレール６０２よりもＸ軸方向の寸法が小さい。これにより、誤ってＺ軸方向の向きを逆向きにしてカートリッジ４がカートリッジ装着部６に挿入されようとした場合に、カートリッジ４が第１と第２のレール６８２，６０２に挿入できない構成となっている。これにより、Ｚ軸方向の向きが逆向きの誤った状態でカートリッジ４がカートリッジ装着部６に挿入される可能性を低減できる。
【００４３】
また図６に示すように、第２の装置側側壁部６４のうち、装置側前壁部６２に近接した位置には、装置側識別部材６１０が設けられている。装置側識別部材６１０は、カートリッジが装着される個数に対応して設けられている。本実施例では、装置側識別部材６１０は４個設けられている。装置側識別部材６１０は、カートリッジ収容室６１の各スロットに正しい種類（本実施例ではインク色）のカートリッジ４が装着されたか否かを識別するために用いられる。各装置側識別部材６１０は、装着されるカートリッジ４内のインクの色に応じて、異なる形状を形成する。詳細には、各装置側識別部材６１０は、少なくとも１つ以上のリブによって形成され、リブの数と位置によって定まるパターンがカートリッジ４の種類に応じて異なる。カートリッジ４にも、リブによって形成された識別部材（「カートリッジ側識別部材」ともいう。）が設けられている。カートリッジ４の識別部材も収容するインクの色に応じて異なる形状を形成している。そして、正しい種類のカートリッジ４がスロットに挿入される場合は、装置側識別部材６１０とカートリッジ側識別部材とが嵌合する。一方、誤った種類のカートリッジ４がスロットに挿入される場合は、装置側識別部材６１０とカートリッジ側識別部材とが嵌合できない。これにより、誤った種類のカートリッジ４がカートリッジ装着部６の各スロットに装着される可能性を低減できる。
【００４４】
また図６に示すように、第２の装置側側壁部６４のうち、装置側前壁部６２に近接した位置には、規制部材６１２が設けられている。規制部材６１２は、カートリッジ４が装着される個数に対応して設けられている。本実施例では、規制部材６１２は５個設けられているが、実際に利用される個数は４個である。規制部材６１２は、カートリッジ４が＋Ｙ軸側の挿入口６９（図５）から−Ｙ軸方向側の装置側前壁部６２に向ってカートリッジ装着部６のカートリッジ収容室６１に挿入され、正しい装着位置まで到達したときにカートリッジ４と当接する。これにより、正しい装着位置からカートリッジ４がさらに押し込まれる可能性を低減できる。
【００４５】
図５に示すように、開口壁部６７は、カートリッジ収容室６１に対して＋Ｙ軸方向側に位置する。開口壁部６７は、カートリッジ４の着脱の際にカートリッジ４を通過させるための挿入口６９を有する。開口壁部６７は、カートリッジ収容室６１を挟んで装置側前壁部６２と対向する。開口壁部６７は、第１の装置側側壁部６３及び第２の装置側側壁部６４に交差する向きに設けられている。本実施例では、開口壁部６７は、第１の装置側側壁部６３及び第２の装置側側壁部６４に直交する。開口壁部６７は、プリンター１０の使用状態において、垂直な壁部である。
【００４６】
開口壁部６７は、Ｚ軸方向に移動可能なレバー６７２が設けられている。カートリッジ４がカートリッジ装着部６に装着された後にレバー６７２を−Ｚ軸方向に移動させる。これにより、レバー６７２がカートリッジ４に引っ掛かり、カートリッジ４が誤って取り外されることを防止する。レバー６７２がカートリッジ４に引っ掛かった状態とは、図２の＋Ｘ軸方向側に位置する３つのカートリッジ４と対応する３つのレバー６７２が示す状態である。
【００４７】
図５及び図８に示すように、第３の装置側側壁部６５は、カートリッジ収容室６１に対して＋Ｘ軸方向側に位置する。第３の装置側側壁部６５は、装置側前壁部６２、第１の装置側側壁部６３、第２の装置側側壁部６４、及び、開口壁部６７と交差する向きに設けられている。本実施例では、第３の装置側側壁部６５は、装置側前壁部６２、第１の装置側側壁部６３、第２の装置側側壁部６４、及び、開口壁部６７と直交する。第３の装置側側壁部６５は、プリンター１０の使用状態において、垂直な壁部である。第３の装置側側壁部６５は、カートリッジ装着部６の側面を構成する。
【００４８】
図５に示すように、第４の装置側側壁部６６は、カートリッジ収容室６１に対して−Ｘ軸方向側に位置する。第４の装置側側壁部６６は、カートリッジ収容室６１を挟んで第３の装置側側壁部６５と対向する。第４の装置側側壁部６６は、装置側前壁部６２、第１の装置側側壁部６３、第２の装置側側壁部６４、及び、開口壁部６７と交差する向きに設けられている。本実施例では、第４の装置側側壁部６６は、装置側前壁部６２、第１の装置側側壁部６３、第２の装置側側壁部６４、及び、開口壁部６７と直交する。第４の装置側側壁部６６は、プリンター１０の使用状態において、垂直な壁部である。第４の装置側側壁部６６は、カートリッジ装着部６の側面を構成する。
【００４９】
各壁部６２，６３，６４，６５，６６，６７の配置から以下のような関係が規定できる。装置側前壁部６２と開口壁部６７あるいは挿入口６９とが対向する方向がＹ軸方向である。開口壁部６７あるいは挿入口６９から装置側前壁部６２に向かう方向、つまりカートリッジ４をカートリッジ装着部６に挿入する（装着する）方向が−Ｙ軸方向であり、その逆、つまりカートリッジ４をカートリッジ装着部６から引き抜く（取り外す）方向が＋Ｙ軸方向である。第１の装置側側壁部６３と第２の装置側側壁部６４とが対向する方向がＺ軸方向である。第１の装置側側壁部６３から第２の装置側側壁部６４へ向かう方向が−Ｚ軸方向であり、その逆が＋Ｚ軸方向である。第３の装置側側壁部６５と第４の装置側側壁部６６とが対向する方向がＸ軸方向である。第３の装置側側壁部６５から第４の装置側側壁部６６へ向かう方向が−Ｘ軸方向であり、その逆が＋Ｘ軸方向である。
【００５０】
Ａ−３．カートリッジ装着部の各構成部材の詳細構成：
次に図１０〜図１３を用いて装置側前壁部６２に設けられた部材７０，６４０，６６２の詳細構成について説明する。図１０は、装置側前壁部６２と周辺部材の第１の外観斜視図である。図１１は、装置側前壁部６２と周辺部材の第２の外観斜視図である。図１２は、装置側前壁部６２と周辺部材の分解斜視図である。図１３は、図１０の１０−１０断面図である。
【００５１】
図１０及び図１１に示すように、カートリッジ装着部６のスロット毎に、装置側前壁部６２には、装置側端子部７０、印刷材供給機構６４０、ロッド６６２が＋Ｚ軸方向から−Ｚ軸方向に向かってこの順番で設けられている。図１２に示すように、装置側前壁部６２は第１の前壁部６９０と第２の前壁部６９２を備える。第１の前壁部６９０が第２の前壁部６９２にボルトＢＴにより取り付けられる。
【００５２】
Ａ−３−１．印刷材供給機構６４０の詳細構成：
図１２に示すように、印刷材供給機構６４０は、カバー部材６５０と、印刷材供給管６４２と、シール部材６４６と、取付部材６４９とを備える。
【００５３】
印刷材供給管６４２は、第２の前壁部６９２に設けられた流通管６５９に接続される。詳細には、筒状の取付部材６４９に挿入されて、同様に取付部材６４９に挿入されている流通管６５９に接続される。流通管６５９は、チューブ２４に連通している。
【００５４】
図１３に示すように、印刷材供給管６４２は、内部に流路断面が円形の供給流路６４７を有する。印刷材供給管６４２の円周のうち、＋Ｙ軸方向側には外部と供給流路６４７とを連通させる連通穴６４８が形成されている。カートリッジ４のインクは、連通穴６４８、供給流路６４７、流通管６５９の内部流路を流通し、チューブ２４へと流れる。
【００５５】
流通管６５９の外周と印刷材供給管６４２の内周の間には、シール部材６４６が配置されている。シール部材６４６は、弾性部材（例えば、ゴム）であり、外部にインクが漏れ出すことを防止する。なお、本実施例では、取付部材６４９は、第１の前壁部６９０の一部である。
【００５６】
印刷材供給管６４２は中心軸Ｃを有する。図１２及び図１３に示すように、印刷材供給管６４２は、装置側前壁部６２に固定される基端部６４４と、カートリッジ４に接続される先端部６４３とを有する。ここで、中心軸Ｃと平行な軸がＹ軸である。また、Ｙ軸に沿った方向（Ｙ軸方向）のうち、基端部６４４から先端部６４３に向かう方向が＋Ｙ軸方向であり、＋Ｙ軸方向とは逆方向が−Ｙ軸方向である。
【００５７】
図１２に示すように、カバー部材６５０は、カートリッジ４の着脱時に印刷材供給管６４２（詳細には連通穴６４８）から外部にインクが飛び散る可能性を低減するための部材である。カバー部材６５０は、付勢部材６５２と、当接部材６５８と、飛散防止部６５３と、連通部６５５と、を備える。当接部材６５８は、外形が略円形である。当接部材６５８は、カートリッジ４と当接する。当接部材６５８は、Ｙ軸方向に移動可能に構成されている。当接部材６５８の中心には、印刷材供給管６４２が挿入される貫通孔６５６が形成されている。飛散防止部６５３は、印刷材供給管６４２からインクが漏れた場合に、漏れたインクを受け止める。これにより、印刷材供給管６４２の周囲にインクが飛散する可能性を低減できる。飛散防止部６５３は、凹形状である。付勢部材６５２は、コイルばねである。付勢部材６５２の一端は当接部材６５８に当接し、他端は第１の前壁部６９０に当接している。装着状態では、付勢部材６５２は、当接部材６５８をカートリッジ４に押し付けるように付勢する。カートリッジ４がカートリッジ装着部６に装着される際に、カートリッジ４が当接部材６５８を−Ｙ軸方向に押し進めることで、飛散防止部６５３も−Ｙ軸方向に移動する。飛散防止部６５３は、カートリッジ４が装着される前の状態から装着状態に至る間の変位に拘わらず印刷材供給管６４２の−Ｚ軸方向側（真下側）に配置されている。詳細には、飛散防止部６５３は、カートリッジ４が装着される前の状態から装着状態に至る間の変位に拘わらず当接部材６５８の連通穴６４８の−Ｚ軸方向側（真下側）に配置されている。飛散防止部６５３で受け止めたインクは、連通部６５５内を流通してカートリッジ装着部６に設けられた吸収材（図示せず）に到達する。
【００５８】
Ａ−３−２．ロッド６６２の詳細構成：
図１２及び図１３に示すように、ロッド６６２は、Ｙ軸方向に平行な中心軸Ｃｂを備えている。ロッド６６２の外周には、付勢部材６６５とロッドカバー６７０が設けられている。ロッドカバー６７０は筒状であり、ロッド６６２と付勢部材６６５が内部に挿入される。ロッドカバー６７０は、第１の前壁部６９０の一部である。ロッド６６２はＹ軸方向に移動可能に構成されている。ロッド６６２は、＋Ｙ軸方向側に位置する一端部６６３と、−Ｙ軸方向側に位置する他端部６６４とを備える。図１０及び図１１に示すように一端部６６３は、ロッドカバー６７０よりも＋Ｙ軸方向側に突出している。装着状態において、一端部６６３はカートリッジ４のレバー部材４９０（図４）に当接する。他端部６６４は装置側前壁部６２よりも−Ｙ軸方向側に位置する。他端部６６４は、遮光部６６６を有する。また、装置側前壁部６２よりも−Ｙ軸方向側にはセンサー１３８が設けられ、センサー１３８によって遮光部６６６の変位を検出することでインクエンド状態をプリンター１０の制御部３１で検出する。付勢部材６６５はコイルばねである。付勢部材６６５はロッド６６２を＋Ｙ軸方向側に付勢する。なお、ロッド６６２を用いたインクエンド検出の方法については後述する。
【００５９】
ロッド６６２は、装置側前壁部６２のうち、第１の装置側側壁部６３と第２の装置側側壁部６４との中間の位置に設けられている。詳細には、Ｚ軸方向について、第１の装置側側壁部６３の内表面と第２の装置側側壁部６４の内表面を結ぶ線分の中間の位置に設けられている。すなわち、図１３に示すようにロッド６６２の中心軸Ｃｂは、第１の装置側側壁部６３と第２の装置側側壁部６４のＺ軸方向における中間の位置に配置されている。ここで、「中間の位置」とは、完全に中間である必要はなく、第１と第２の装置側側壁部６３，６４のどちらか一方に偏って配置されていなければ良い。例えば、「中間の位置」とは、第１の装置側側壁部６３と第２の装置側側壁部６４のＺ軸方向における内壁面の距離に対して中心位置から１０％以内の範囲内の位置を含む。
【００６０】
Ａ−３−３．装置側端子部７０の詳細構成：
図１０及び図１１に示すように装置側端子部７０は、端子装着部６９４に設けられている。詳細には、図１２に示すように装置側端子部７０の一対の端子側嵌合部７６２が、端子装着部６９４に嵌め合わされることで端子装着部６９４に取り付けられている。また、装置側端子部７０は、装置側前壁部６２（詳細には、端子装着部６９４）に対してＸ軸方向及びＺ軸方向に移動可能な状態で取り付けられている。詳細には、装置側端子部７０は、装置側前壁部６２に対してＸ軸方向及びＺ軸方向に微小に移動可能に取り付けられている。
【００６１】
さらに、図１４〜図１８を用いて装置側端子部７０の説明を行う。図１４は、装置側端子部７０の第１の分解斜視図である。図１５は、装置側端子部７０の第２の分解斜視図である。図１６は、装置側端子部７０の第１の外観斜視図である。図１７は、装置側端子部７０の第２の外観斜視図である。図１８は、図１７の１７−１７断面図である。なお、図１８には、理解の容易の為に第１の前壁部６９０の一部を実線で、位置決め凸部７５６を点線で図示している。
【００６２】
図１４及び図１５に示すように、装置側端子部７０は、装置側端子群７２１と、端子台７２４と、位置決め部７５０とを備える。また、装置側端子部７０は、コネクター基板７３０を備える。コネクター基板７３０は、表面に設けられた端子群７３２（図１５）と、裏面に設けられたコネクター７３９と、を備える。端子群７３２は複数の端子（本実施例では、９つ）からなり、コネクター７３９と電気的に接続されている。
【００６３】
装置側端子群７２１は、複数の端子（本実施例では、９つ）を備える。装置側端子群７２１のそれぞれの端子は、弾性変形可能に構成されている。装置側端子群７２１の各端子は、Ｕ字状の板バネによって構成されている。各端子の先端のうち、一方は、端子台７２４の表面７２４ｆａから露出している。端子台７２４の表面７２４ｆａから露出した先端部は、装着状態においてカートリッジ４の回路基板５０の対応するカートリッジ側端子と接触する端子接点７２２となる。すなわち、端子接点７２２は、端子台７２４の表面７２４ｆａ上に設けられる。各端子の先端のうち、他方は、端子台７２４の裏面７２４ｆｂから露出している。端子台７２４の裏面７２４ｆｂから露出した先端部は、端子群７３２の対応する端子と接触する端子接点７２３となる。すなわち、端子接点７２３は、端子台７２４の裏面７２４ｆｂ上に設けられる。
【００６４】
端子台７２４は、装置側端子群７２１を保持する。また、端子台７２４は、その表面７２４ｆａから端子接点７２２を構成する一方の先端部が露出するように、装置側端子群７２１を保持する。また、端子台７２４は、その裏面７２４ｆｂから端子接点７２３を構成する他方の先端部が露出するように、装置側端子群７２１を保持する。また図１８に示すように、端子台７２４は、装置側端子群７２１の各端子が、弾性変形によりＸ軸方向に平行な軸７２１ｒを中心に移動するように装置側端子群７２１を保持する。換言すれば、端子台７２４は、装置側端子群７２１の各端子が、所定の平面に沿って弾性変形することで端子接点７２２が移動するように装置側端子群７２１を保持する。
【００６５】
図１４〜図１８に示すように、位置決め部７５０は、端子台７２４とコネクター基板７３０を保持する。詳細には、位置決め部７５０は収容空間７５１を有し、収容空間７５１に端子台７２４とコネクター基板７３０が収容されて位置決め部７５０に保持される。また図１８に示すように、位置決め部７５０は、端子台７２４の表面７２４ｆａが＋Ｙ軸方向成分及び−Ｚ軸方向成分を含む方向を向いて傾斜しつつＸ軸には平行な向きとなるような状態（「第１の状態」とよぶ）で端子台７２４を保持する。換言すれば、位置決め部７５０は、端子台７２４の表面７２４ｆａがＹ軸とＺ軸に対して傾斜するように端子台７２４を保持する。端子台７２４が位置決め部７５０にこのような状態で保持されることによって、装置側端子群７２１の接点７２２は、＋Ｙ軸方向成分及び前記−Ｚ軸方向成分を含む方向を向いて傾斜した表面上７２４ｆａに設けられることとなる。また、位置決め部７５０は、軸７２１ｒが端子接点７２２よりも＋Ｙ軸方向側かつ＋Ｚ軸方向側に位置する状態（「第２の状態」とよぶ）で端子台７２４を保持する。第１の状態と第２の状態を満たして位置決め部７５０が端子台７２４を保持することで、図１８に示すように端子接点７２２は矢印ＹＲ１の向きに弾性変形可能な状態となっている。別の観点から、装置側端子群７２１の弾性変形について以下に述べる。位置決め部７５０は、装置側端子群７２１の各端子が弾性変形する所定の平面が、Ｙ軸とＺ軸に平行な平面（「ＹＺ平面」とも呼ぶ。）となる状態で端子台７２４を保持する。位置決め部７５０がこのように端子台７２４を保持することで、各接点７２２はＹＺ平面上で移動可能な状態となっている。
【００６６】
図１４及び図１５に示すように、位置決め部７５０は、収容空間７５１に対してＸ軸方向両側に位置する一対の壁部７５２と、壁部７５２に設けられた一対の位置決め凸部７５６を有する。ここで、一対の壁部７５２のうち収容空間７５１に対して＋Ｘ軸方向側に位置する一方を第１壁部７５２ｔとも呼び、−Ｘ軸方向側に位置する他方を第２壁部７５２ｗとも呼ぶ。また、一対の位置決め凸部７５６のうち第１壁部７５２ｔに設けられた一方を第１の位置決め凸部７５６ｔとも呼び、第２壁部７５２ｗに設けられた他方を第２の位置決め凸部７５６ｗとも呼ぶ。なお、第１壁部７５２ｔと第２壁部７５２ｗとを区別することなく用いる場合は、壁部７５２を用いて説明する。また、第１の位置決め凸部７５６ｔと第２の位置決め凸部７５６ｗとを区別することなく用いる場合は、位置決め凸部７５６を用いて説明する。
【００６７】
第１壁部７５２ｔと第２壁部７５２ｗは、収容空間７５１を区画形成する壁である。第１の位置決め凸部７５６ｔと第２の位置決め凸部７５６ｗは、それぞれ端子台７２４の表面７２４ｆａの＋Ｘ軸方向側の側方及び−Ｘ軸方向側の側方に位置する。第１と第２の位置決め凸部７５６ｔ，７５６ｗは、カートリッジ４がカートリッジ装着部６に装着される際に、装置側端子群７２１の各端子と対応するカートリッジ側端子群の各端子とが接触する接触位置にカートリッジ４と装置側端子部７０を案内する。詳細には、第１の位置決め凸部７５６ｔと第２の位置決め凸部７５６ｗは、カートリッジ４がカートリッジ装着部６に装着される際に、装置側端子群７２１とカートリッジ側端子群との接触が開始される前に、カートリッジ４に形成された溝への挿入が開始されるように構成される。これにより、カートリッジ４と装置側端子部７０が接触位置まで精度よく移動できる。第１の位置決め凸部７５６ｔは、Ｙ軸方向（カートリッジ４の挿入方向）に沿って延びる。また、第１の位置決め凸部７５６ｔは、第１壁部７５２ｔから＋Ｘ軸方向に突出する。第２の位置決め凸部７５６ｗは、Ｙ軸方向（カートリッジ４の挿入方向）に沿って延びる。また、第２の位置決め凸部７５６ｔは、第２壁部７５２ｗから−Ｘ軸方向に突出する。本実施例では上記の第１の構成を実現するために、図１８に示すように、位置決め凸部７５６の＋Ｙ軸方向側の端部７５７が端子接点７２２よりも＋Ｙ軸方向側に位置するように位置決め凸部７５６が設けられている。なお、端部７５７は、＋Ｙ軸方向から−Ｙ軸方向に向かうに従ってＺ軸方向の寸法が大きくなるテーパー形状である。これにより、カートリッジ４の後述する規制部に位置決め凸部７５６を容易に挿入できる。位置決め凸部７５６ｔ，７５６ｗは、それぞれ、カートリッジ４がカートリッジ装着部６に装着された装着状態において、カートリッジ４に形成された溝と接触する４つの接触面を有する。これら４つの接触面のうち、図１６及び図１７には、位置決め凸部７５６ｗの接触面７５６ｗａ，７５６ｗｂ，７５６ｗｃ，７５６ｗｄと、位置決め凸部７５６ｔの接触面７５６ｔｂ，７５６ｔｄのみが示されている。４つの接触面のうち、Ｚ軸方向において対向する２つの面であって、＋Ｚ軸方向側に位置するものをＡ面７５６ｔａ（図３３〜３６），７５６ｗａ、−Ｚ軸方向側に位置するものをＢ面７５６ｔｂ，７５６ｗｂとよぶ。また、Ｘ軸方向に交わる面をＣ面７５６ｔｃ（図３３〜３６），７５６ｗｃとよぶ。また、＋Ｙ軸方向の先端面をＤ面７５６ｔｄ，７５６ｗｄとよぶ。
【００６８】
また図１６に示すように、位置決め部７５０は、一対の壁部７５２から装置側端子群７２１の端子接点７２２が露出する方向（＋Ｙ軸方向成分と−Ｚ軸方向成分を含む方向）に突出する一対の突起７５９を有する。突起７５９のうち、第１壁部７５２ｔに設けられた一方を第１突起７５９ｔとも呼び、第２壁部７５２ｗに設けられた他方を第２突起７５９ｗとも呼ぶ。第１突起７５９ｔは、装置側端子群７２１の＋Ｘ軸方向側の側方から端子台７２４の表面７２４ｆａに対して＋Ｙ軸方向成分と−Ｚ軸方向成分を含む方向に突出するように設けられている。第２突起７５９ｗは、装置側端子群７２１の−Ｘ軸方向側の側方から端子台７２４の表面７２４ｆａに対して＋Ｙ軸方向成分と−Ｚ軸方向成分を含む方向に突出するように設けられている。第１突起７５９ｔと第２突起７５９ｗは、装着状態において、カートリッジ４の一部（後述する底壁側凹部９１０，図２７参照）に受け入れられる。なお、第１突起７５９ｔと第２突起７５９ｗとを区別することなく用いる場合は、突起７５９を用いる。
【００６９】
図１０乃至図１２に示すように、位置決め部７５０は、端子台７２４を保持した状態で、装置側前壁部６２に取付けられる。具体的には、位置決め部７５０は、第１の前壁部６９０の端子装着部６９４に取付けられる。端子装着部６９４は、Ｘ軸方向において対向する一対の支持壁６９６と、この壁に設けられた一対の嵌合穴６９８とを有する。一方、装置側端子部には、Ｘ軸方向において対向する一対の端子側嵌合部７６２が設けられる。端子側嵌合部７６２が位置決め部７５０の一対の嵌合穴６９８に嵌め合わされることで、装置側端子部７０が装置側前壁部６２に対して取り付けられる。ここで、一対の端子側嵌合部７６２と一対の支持壁６９６との間には、Ｘ軸方向にクリアランスが設けられている。よって、装置側端子部７０は、装置側前壁部６２に対してＸ軸方向に微少に移動可能な状態となっている。また、一対の端子側嵌合部７６２と一対の嵌合穴６９８との間には、Ｙ軸方向にクリアランスが設けられている。よって、装置側端子部７０は、装置側前壁部６２に対してＺ軸方向に微小に移動可能な状態となっている。
【００７０】
また、端子装着部６９４の一対の支持壁６９６には、それぞれ、Ｙ軸方向において対向する一対の係合部６９４ａ，６９４ｂが設けられている。そして、位置決め部７５０の一対の端子側嵌合部７６２にも、それぞれ、Ｙ軸方向において対向する一対の係合部７６２ａ，７６２ｂが設けられている。端子側嵌合部７６２が端子装着部６４９の一対の嵌合穴６９８に嵌め合わされると、係合部６９４ａと係合部７６２ａとが−Ｙ軸方向において係合し、係合部６９４ｂと係合部７６２ｂとが＋Ｙ軸方向において係合する。係合部６９４ａと係合部７６２ａとの間には、クリアランスがほとんどない。また、係合部６９４ｂと係合部７６２ｂとの間にも、実質的にクリアランスがない。よって、装置側端子部７０は、装置側前壁部６２に対してＹ軸方向には実質的に移動できない。
【００７１】
Ａ−４．カートリッジ４の外観構成：
次に、図１９〜２６を用いてカートリッジ４の概略構成を説明する。なお、カートリッジ４を図示した図面に付したＸＹＺ軸は、装着状態におけるカートリッジ４に対するＸＹＺ軸に対応する。図１９は、カートリッジ４の第１の外観斜視図である。図２０は、カートリッジ４の第２の外観斜視図である。図２１は、カートリッジ４の正面図である。図２２は、カートリッジ４の背面図である。図２３は、カートリッジ４の上面図である。図２４は、カートリッジ４の底面図である。図２５は、カートリッジ４の第１の側面図である。図２６は、カートリッジ４の第２の側面図である。
【００７２】
図１９及び図２０に示すように、カートリッジ４は、外形が略直方体形状である。本実施例では、カートリッジ４は、Ｙ軸方向、Ｚ軸方向、Ｘ軸方向の順で寸法が小さくなる。カートリッジ４は、内部にインクを収容するケース９を備える。ケース９は合成樹脂を成形することで形成された筐体である。カートリッジ４は、前面４２と、後面４７と、第１側面４３と、第２側面４４と、第３側面４５と、第４側面４６とを備える。なお、第１側面４３を上面４３とも呼び、第２側面４４を底面４４とも呼び、第３側面４５を右側面４５とも呼び、第４側面４６を左側面４６とも呼ぶ。前面４２と後面４７は、Ｙ軸方向において対向しており、前面４２が−Ｙ軸方向側に、後面４７が＋Ｙ軸方向側に位置する。第１側面４３と第２側面４４は、前面４２及び後面４７と交わり、Ｚ軸方向において対向している。第１側面４３が＋Ｚ軸方向側に、第２側面４４が−Ｚ軸方向側に位置する。第３側面４５と第４側面４６は、前面４２、後面４７、第１側面４３、及び第２側面４４と交わり、Ｘ軸方向において対向している。第３側面４５が＋Ｘ軸方向側に、第４側面４６が−Ｘ軸方向側に位置する。
【００７３】
前面４２の形状は、Ｚ軸方向の寸法がＸ軸方向の寸法よりも大きい略長方形である。前面４２は、装着状態において装置側前壁部６２（図６）と向かい合う。前面４２には、ロッド挿入孔４２０と、供給管挿入孔４２４と、が形成されている。ロッド挿入孔４２０は、前面４２のうち、第１側面４３と第２側面４４との中間の位置に設けられている。言い換えれば、Ｚ軸方向について、第１側面４３と第２側面４４を結ぶ中間の位置に設けられている。すなわち、ロッド挿入孔４２０の中心軸Ｃｅは、第１側面４３と第２側面４４のＺ軸方向における中間の位置に配置されている。ここで、「中間の位置」とは、完全に中間である必要はなく、第１と第２側面４３，４４のどちらか一方に偏って配置されていなければ良い。例えば、「中間の位置」とは、第１側面４３と第２側面４４のＺ軸方向における距離に対して中心位置から１０％以内の範囲内の位置を含む。
【００７４】
装着状態において、供給管挿入孔４２４には印刷材供給管６４２（図１２）が挿入される。また、供給管挿入孔４２４内には、カートリッジ４内のインクを外部へ流通させるための印刷材導出管４８４（図４）が配置されている。印刷材供給管６４２が印刷材導出管４８４に接続されることで、カートリッジ４内のインクが印刷材供給管６４２に流通可能となる。
【００７５】
装着状態において、ロッド挿入孔４２０には、外周の一部がロッドカバー７２０に覆われたロッド６６２（図１２）が挿入される。ロッド挿入孔４２０にロッド６６２が挿入されることで、カートリッジ装着部６に対するカートリッジ４全体の位置決めを行い、正しい装着位置からの位置ずれを抑制する。また、装着状態においてロッド６６２がレバー部材４９０（図４）に当接する。
【００７６】
図１９、図２３、図２５及び図２６に示すように、第１側面４３は第１凸部４３２を有する。第１凸部４３２は、第１側面４３から＋Ｚ軸方向側に突出する。第１凸部４３２は、Ｙ軸方向に沿って延びる。詳細には、図２５及び図２６に示すように、第１凸部４３２は、第１側面４３のうち、前面４２に近接した位置から後面４７に近接した位置まで延びる。さらに詳細には、第１凸部４３２は、−Ｙ軸方向側の第１部分４３２ａと＋Ｙ軸方向側の第２部分４３２ｂに分かれており、その間に凹状の第１係止部４３６が形成される。図２４〜図２６に示すように、第２側面４４は第２凸部４４２を有する。第２凸部４４２は、第２側面４４から−Ｚ軸方向側に突出する。第２凸部４４２は、Ｙ軸方向に沿って延びる。詳細には、図２５及び図２６に示すように、第２凸部４４２は、第１側面４３のうち、前面４２に近接した位置から後面４７に近接した位置まで延びる。さらに詳細には、第２凸部４４２は、−Ｙ軸方向側の第１部分４４２ａと＋Ｙ軸方向側の第２部分４４２ｂに分かれており、その間に凹状の第２係止部４４６が形成される。カートリッジ４がカートリッジ装着部６に装着される際には、第１凸部４３２が第１のレール６８２（図７）に挿入され、第２凸部４４２が第２のレール６０２（図６）に挿入される。これにより、カートリッジ４をカートリッジ装着部６の対応するスロットに対して円滑に押し進めることができる。
【００７７】
図２１に示すように、第１凸部４３２のＸ軸方向の寸法（幅）Ｘａと、第２凸部４４２のＸ軸方向の寸法（幅）Ｘｂは異なる。本実施例では、寸法Ｘａ＜寸法Ｘｂの関係を満たす。また、第２凸部４４２は、第１のレール６８２（図７）よりもＸ軸方向の寸法が大きく、第２凸部４４２は第１のレール６８２に挿入できない。これにより、誤って第１側面４３と第２側面４４の向きを逆にした状態で、カートリッジ４がカートリッジ装着部６に装着される可能性を低減できる。また、装着状態では、第１係止部４３６に板ばね６８４（図７）が入り込み、第２係止部４４６に板ばね６０４（図６）が入り込む。これにより、カートリッジ４がカートリッジ装着部６から不用意に外れることを防止する。
【００７８】
図１９に示すように、第３側面４５には、ラベルＳ１が貼り付けられている。このラベルＳ１には、カートリッジ４の取り扱いに関する情報（使用について注意事項等）が記載されている。
【００７９】
図２１に示すように、前面４２と第２側面４４とが交差するコーナー部８８には、凹部４９と、一対の規制面４２１とが設けられている。凹部４９には、カートリッジ側識別部材４９１が設けられている。カートリッジ側識別部材４９１は、１つ以上のリブによって形成され、収容するインクの色に応じて異なる形状を形成する。また、カートリッジ側識別部材４９１は、カートリッジ装着部６の正しいスロットに装着されることで、装置側識別部材６１０（図６）と嵌合する。一対の規制面４２１は、凹部４９のＸ軸方向の両側に配置されている。一対の規制面４２１は、カートリッジ４が正しい装着位置まで到達したときに、規制部材６１２（図６）と当接する。
【００８０】
図１９及び図２１に示すように、カートリッジ４はさらに、前面４２と第１側面４３とが交差するコーナー部８９に設けられた凹部９０を備える。換言すれば、凹部９０は、前面４２と第１側面４３に亘って設けられている。凹部９０には、回路基板５０が配置されている。回路基板５０の表面５０ｆａ（図２１）には、カートリッジ側端子群５２１が形成されている。カートリッジ側端子群５２１は、複数の端子（本実施例では、９個）を備える。装着状態において、カートリッジ側端子群５２１の各端子は、装置側端子群７２１（図１５）の対応する各端子と接触することで、電気的に接続される。
【００８１】
さらに、図２７〜図３２を用いて凹部９０の詳細構成について説明する。図２７は、凹部９０近傍の外観斜視図である。図２８は、凹部９０近傍の正面図である。図２９は、図２８の２８ａ−２８ａ断面図である。図３０は、図２８の２８ｂ−２８ｂ断面図である。図３１は、装置側端子部７０と回路基板５０の接続状態を説明するための図である。図３２は、装着状態における２８ａ−２８ａ断面図である。
【００８２】
図２７に示すように、凹部９０は、Ｙ軸と直交する面に沿って設けられた開口９８２と、Ｚ軸と直交する面に沿って設けられた開口９８４とを有する。また凹部９０の内壁は、一対の側壁９０２（９０２ｔ，９０２ｗ）と、底壁９８８と、後壁９８６とによって概ね構成されている。これらの内壁９０２，９８６，９８８によって、装置側端子部７０が挿入される端子収容室９００が、凹部の内部に区画形成される。凹部９０は、開口９８２、開口９８４、一対の側壁９０２ｔ，９０２ｗ、底壁９８８、後壁９８６を主要な面として構成される略六面体である。開口９８２と後壁９８６は、Ｙ軸方向において対向しており、開口９８２は−Ｙ軸方向に、後壁９８６は＋Ｙ軸方向に位置する。また、一対の側壁９０２ｔ，９０２ｗは、Ｘ軸方向において対向しており、第１の側壁９０２ｔは＋Ｘ軸方向側に、第２の側壁９０２ｗは−Ｘ軸方向側に位置する。開口９８４と底壁９８８は、Ｚ軸方向において互いに非平行な状態で対向しており、開口９８４が＋Ｚ軸方向側に、底壁９８８が−Ｚ軸方向側に位置する。開口９８２は、カートリッジ４がカートリッジ装着部６に装着されるときに、装置側端子部７０が凹部９０に挿入される際の入口となる。底壁９８８は、第１の側壁９０２ｔ及び第２の側壁９０２ｗと交わる。底壁９８８は、開口９８２と−Ｚ方向側の辺において交わる。そして、開口９８２の−Ｚ方向側の辺の位置から＋Ｚ方向に傾斜しながら＋Ｙ軸方向に延びて、後壁９８６と交わる。後壁９８６は、底壁９８８、第１の側壁９０２ｔ、及び、第２の側壁９０２ｗと交わる。開口９８４は、後壁９８６、第１の側壁９０２ｔ、第２の側壁９０２ｗ、及び開口９８２と交わる。なお、第１の側壁９０２ｔと第２の側壁９０２ｗを区別することなく用いる場合は、側壁９０２を用いる。
【００８３】
底壁９８８には、回路基板５０が取り付けられている。詳細には、図２９に示すように、回路基板５０の表面５０ｆａが−Ｙ軸方向成分及び＋Ｚ軸方向成分を含む方向を向いて傾斜するように配置されている。すなわち、回路基板５０の表面５０ｆａは、Ｙ軸とＺ軸に対して傾斜している。上述のごとく、表面５０ｆａはカートリッジ側端子群５２１を備える。すなわち、カートリッジ側端子群５２１は、プリンター１０のカートリッジ装着部６への挿入方向である−Ｙ軸方向に対して傾斜した面に設けられていることになる。また、回路基板５０の裏面５０ｆｂは記憶装置５２５を備える。記憶装置５２５には、カートリッジ４に関する情報（例えば、インク色、製造年月日等）が格納されている。さらに、記憶装置５２５には、カートリッジ４に関する情報として、インク残量やインクの有無の情報を含んでもよい。カートリッジ側端子群５２１と記憶装置５２５とは電気的に接続されている。
【００８４】
図２７乃至図３０に示すように、凹部９０のＸ軸方向において対向する一対の側壁９０２ｔ，９０２ｗには、一対の溝９０６ｔ,９０６ｗがそれぞれ設けられている。これらの溝９０６ｔ，９０６ｗは、Ｘ軸方向に互いに向かい合うように設けられている。また、図２８に示すように、溝９０６ｔ，９０６ｗは、ＹＺ平面２８ｃに対して対称に設けられている。このＹＺ平面２８ｃは、カートリッジのＸ軸方向の寸法（幅）の中心を構成する面である。凹部９０内に配置される回路基板５０及び凹部９０を構成する各要素は、このＹＺ平面２８ｃに対して対称に設けられている。すなわち、ＹＺ平面２８ｃは、カートリッジ側端子群５２１のＸ軸方向の寸法（幅）の中心を通る。そして、カートリッジ側端子群５２１のうち、カートリッジ端子群５２１の幅方向の中心に設けられた電極５２１ｃが、ＹＺ平面２８ｃと交わる。また、ＹＺ平面２８ｃは、回路基板５０のＸ軸方向の寸法（幅）の中心を通る。また、このＹＺ平面２８ｃは、回路基板５０を底壁９８に取り付けるために底壁９８８に設けられた取付け部５０ａ，５０ｂを通る。また、ＹＺ平面２８ｃは、カートリッジ側端子群５２１のうち、Ｘ軸方向の中央部に設けられた端子５２１ｃを通る。この端子５２１ｃは、装置側端子群７２１のうち、Ｘ軸方向の中央部に設けられた端子７２１ｃ（図１６参照）と接触する端子である。また、凹部９０の溝９０６ｔ，９０６ｗと、一対の壁側壁９０２ｔ，９０２ｗは、ＹＺ平面２８ｃに対して対称に設けられる。さらに、ＹＺ平面２８ｃは、先に説明した第１凸部４３２（４３２ａ，４３２ｂ）及び第２凸部４４２（４４２ａ，４４２ｂ，図２１及び図２５参照）のＸ軸方向の寸法（幅）の中心を通る。また、図２８には示していないが、ＹＺ平面２８ｃは、第１側面４３に設けられた第１係止部４３６（図２５）及び第２側面４４に設けられた第２係止部４４６（図２５）のＺ軸方向の寸法（幅）の中心を通る。また、この第１係止部４３６及び第２係止部４４６を係止する板ばね６８４及び６０５（図６，図７）は、このＹＺ平面２８ｃと交差する。
【００８５】
図２７及び図３０に示すように、第１の側壁９０２ｔには、第１の規制部としての第１の溝９０６ｔが設けられている。第１の溝９０６ｔは、第１の側壁９０２ｔの一部を＋Ｘ軸方向に掘り下げたような形状で形成されている。つまり、第１の溝９０６ｔは、第１の側壁９０２ｔから＋Ｘ軸方向に窪んでいる。第１の溝９０６ｔは、Ｙ軸方向に沿って延びる。詳細には、第１の溝９０６ｔは、開口９８２の位置から後壁９８６側に向って＋Ｙ軸方向に沿って延びる。第１の溝９０６ｔには、装着状態において、第１の位置決め凸部７５６ｔ（図１６）が挿入される。第１の溝９０６ｔは、−Ｙ軸方向側の端面と−Ｘ軸方向側の面が開放されている。図２７及び図２９に示すように、第２の側壁９０２ｗには、第２の規制部としての第２の溝９０６ｗが設けられている。第２の溝９０６ｗは、第２の側壁９０２ｗの一部を−Ｘ軸方向に掘り下げたような形状で形成されている。つまり、第２の溝９０６ｗは、第２の側壁９０２ｗから−Ｘ軸方向に窪んでいる。第２の溝９０６ｗは、Ｙ軸方向に沿って延びる。詳細には、第２の溝９０６ｗは、開口９８２の位置から後壁９０６側に向って＋Ｙ軸方向に沿って延びる。第２の溝９０６ｗは、−Ｙ軸方向側の端面と＋Ｘ軸方向側の面が開放されている。
【００８６】
図２９及び図３０に示すように、溝９０６ｔ，９０６ｗは、それぞれ−Ｙ軸方向側の端面に開口９４１，９６１を有する。溝９０６ｔ，９０６ｗは、これらの開口９４１，９６１から＋Ｙ軸方向側に延びる入口部分９１６ｔ，９１６ｗと、入口部分９１６ｔの＋Ｙ軸方向の端部から＋Ｙ軸方向側に延びる接触部分９２６ｔ，９２６ｗとを備える。−Ｙ軸方向側の端面の開口９４１，９６１は、それぞれ、カートリッジ４がカートリッジ装着部６に装着される際に、位置決め凸部７５６ｔ，７５６ｗが挿入される入口となる。開口９４１，９６１は、カートリッジ側端子群５２１よりも−Ｙ軸方向側に形成されているため、装置側端子群７２１とカートリッジ側端子群５２１との接触が開始される前に、位置決め凸部７５６ｔ，７５６ｗの溝９０６ｔ，９０６ｗへの挿入が開始される。
【００８７】
入口部分９１６ｔ，９１６ｗは、溝９０６ｔ，９０６ｗのうち位置決め凸部７５６ｔ，７５６ｗが最初に挿入される部分である。図２８乃至図３０に示すように、入口部分９１６ｔ，９１６ｗは、＋Ｙ軸方向に向かうに従ってＺ軸方向の寸法が単調減少している。また、図２８に示すように、入口部分９１６ｔ，９１６ｗは、−Ｙ軸方向から＋Ｙ軸方向に向かうに従ってＸ軸方向の寸法が減少している。すなわち、入口部分９１６ｔ，ｗには、Ｚ軸方向及びＸ軸方向に徐々に寸法が減少するようなテーパーが設けられている。さらに換言すれば、入口部分９１６ｔ，９１６ｗは、開口９４１，９６１の面積が最も大きいテーパー形状である。
また、図２８乃至図３０に示すように、入口部分９１６ｔ，９１６ｗと対応するように、凹部９０の側壁９０２ｗ，９０２ｔの入口部分９０２ｗａ，９０２ｔａも、テーパー形状となっている。すなわち、入口部分９０２ｗａ，９０２ｔａ部分における側壁９０２ｗ，９０２ｔ間の距離（Ｘ軸方向における間隔）は、−Ｙ軸方向から＋Ｙ軸方向に向かうに従って小さくなる。
【００８８】
接触部分９２６ｔ，９２６ｗは、それぞれ、装着状態において、位置決め凸部７５６ｔ，７５６ｗと接触する。図２９及び図３０に示すように、接触部分９２６ｔ，９２６ｗは、それぞれ、装着状態において位置決め凸部７５６ｔ，７５６ｗと接触する接触面９４０，９６０を有する。図３０に示すように、第１の位置決め凸部７５６ｔとの接触面９４０、つまり、溝９０６ｔの接触面９４０は、４つの面９４２，９４６，９４８，９４４を備える。同様に、図２９に示すように、第２の位置決め凸部７５６ｗとの接触面９６０、つまり、溝９０６ｗの接触面も、４つの面９６２，９６６，９６８，９６４を備える。これら４つの接触面を、それぞれ、Ａ面９４２，９６２、Ｂ面９４６，９６６、Ｃ面９４４，９６４、Ｄ面９４８，９６８ともよぶ。
図３０に示すように、溝９０６ｔのＡ面９４２とＢ面９４６は、Ｚ軸方向において対向しており、Ａ面９４２が＋Ｚ軸方向側に、Ｂ面９４６が−Ｚ軸方向側に位置する。溝９０６ｔのＤ面９４８は、Ｙ軸方向において開口９４１と対向しており、開口９４１が−Ｙ軸方向側、Ｄ面９４８が＋Ｙ軸方向側に位置する。またＤ面９４８は、Ａ面９４２及びＢ面９４６と交わる。溝９０６ｔのＣ面９４４は、図２８に示すように、第１の側壁９０２ｔの延長面９０２ｔｅと対向しており、第１の側壁９０２ｔの延長面９０２ｔｅに対して＋Ｘ軸方向側に位置する。またＣ面９４４は、Ａ面９４２、Ｂ面９４６、及び、Ｄ面９４８と交わる。溝９０６ｔのＡ面９４２は、第１の位置決め凸部７５６ｔ（図１６）の＋Ｚ軸方向側端部と接触する。Ｂ面９４６は、第１の位置決め凸部７５６ｔの−Ｚ軸方向側端部と接触する。第１のＤ面９４８は、第１の位置決め凸部７５６ｔの＋Ｙ軸方向側端部と接触する。第１のＣ面９４４は、第１の位置決め凸部７５６ｔの＋Ｘ軸方向側端部と接触する。
【００８９】
図２９に示すように、溝９０６ｗのＡ面９６２とＢ面９６６は、Ｚ軸方向において対向しており、Ａ面９６２が＋Ｚ軸方向側に、Ｂ面９６６が−Ｚ軸方向側に位置する。溝９０６ｗのＤ面９６８は、Ｙ軸方向において開口９６１と対向しており、開口９６１が−Ｙ軸方向側、Ｄ面９６８が＋Ｙ軸方向側に位置する。またＤ面９６８は、Ａ面９６２，Ｂ面９６６と交わる。溝９０６ｗのＣ面９６４は、図２８に示したように、第２の側壁９０２ｗの延長面９０２ｗｅと対向しており、第１の側壁９０２ｗの延長面９０２ｗｅに対して−Ｘ軸方向側に位置する。またＣ面９６４は、Ａ面９６２、Ｂ面９６６、及び、Ｄ面９６８と交わる。溝９０６ｗのＡ面９６２は、第２の位置決め凸部７５６ｗ（図１６）の＋Ｚ軸方向側端部と接触する。Ｂ面９６６は、第２の位置決め凸部７５６ｗの−Ｚ軸方向側端部と接触する。Ｄ面９６８は、第２の位置決め凸部７５６ｗの＋Ｙ軸方向側端部と接触する。Ｃ面９６４は、第２の位置決め凸部７５６ｗの−Ｘ軸方向側端部と接触する。
【００９０】
ここで、第１の溝９０６ｔと第２の溝９０６ｗとを区別することなく用いる場合は、単に「溝９０６」とも呼ぶ。また、第１の接触部分９２６ｔと第２の接触部分９２６ｗを区別することなく用いる場合は、単に「接触部分９２６」とも呼ぶ。また、第１の入口部分９１６ｔと第２の入口部分９１６ｗとを区別することなく用いる場合は、単に「入口部分９１６」とも呼ぶ。
【００９１】
図２７に示すように、底壁９８８の、傾斜面５０ｆａと第１の側壁９０２ｔとの間、及び、傾斜面５０ｆａと第２の側壁９０２ｗとの間には、それぞれ一対の底壁側凹部９１０ｔ,９１０ｗが形成されている。図３１に示すように、一対の底壁側凹部９１０ｔ,９０１ｗは、それぞれ、装着状態において装置側端子部７０の一対の突起７５９ｔ，７５９ｗ（図１６）を受け入れるように構成されている。なお、一対の底壁側凹部９１０ｔ,９１０ｗをまとめて第１の底壁側凹部９１０とも呼ぶ。
【００９２】
Ａ−５．カートリッジ側端子群５２１と装置側端子群７２１との接触態様：
次に、図３３〜図３６を用いて、カートリッジ４がカートリッジ装着部６に装着される際の、カートリッジ側端子群５２１と装置側端子群７２１との接触態様について説明する。図３３は、接触態様を説明するための第１の図である。図３４は、接触態様を説明するための第２の図である。図３５は、接触態様を説明するための第３の図である。図３６は、接触態様を説明するための第４の図である。図３３から図３６の図面番号順に、カートリッジ４の装着の際の様子が時系列に図示されている。また、図３３〜図３６は、カートリッジ側端子群５２１の１つのカートリッジ側端子５２１ａと装置側端子群７２１のうちの１つの装置側端子７２１ａに着目して説明する。なお、他の端子についても同様の装着態様である。第１と第２の位置決め凸部７５６ｔａ，ｗａの形状は同一であり、第１と第２の溝９０６ｔ，ｗの形状は同一であることから、図３３〜図３６では理解の容易のために、符号７５６ｔａ，ｗａを併記すると共に符号９０６ｔ，ｗを併記している。
【００９３】
図３３に示すように、カートリッジ４（図１９）をカートリッジ装着部６（図５）に装着する際、カートリッジ４は−Ｙ軸方向にカートリッジ装着部６のスロット内に押し進められる。このとき、図３４に示すように、カートリッジ側端子５２１ａが装置側端子７２１ａの端子接点７２２ａと接触する前に、溝９０６への位置決め凸部７５６の挿入が開始される。この時、カートリッジ装着部６に若干の製造誤差が生じていた場合でも、装置側端子部７０がＸ軸方向及びＺ軸方向に移動することで、カートリッジ４の凹部９０内に、その誤差を吸収しながら導かれる。位置決め凸部７５６が溝９０６の入口部分９１６の面に接触しながらカートリッジ４が−Ｙ軸方向に押し進められることで、カートリッジ側端子５２１ａと装置側端子７２１ａとが接触する位置に装置側端子部７０が案内される。図３４では、装置側端子部７０が矢印Ｖ１に示した方向（−Ｚ軸方向）に僅かに移動しながら凹部９０内（図２７）に導かれる様子を示している。
【００９４】
図３５に示すように、カートリッジ４がさらに−Ｙ軸方向に押し進められ、溝９０６の接触部分９２６ｔ，ｗに位置決め凸部７５６ｔ，ｗが挿入されると、位置決め凸部７５６ｔ，ｗのＣ面７５６ｔｃ，ｗｃが、それぞれ溝９０６ｔ，ｗのＣ面９４４，９６４に接触することで、装置側端子部７０（図１０）のＸ軸方向の移動が規制される。また、このとき、位置決め凸部７５６ｔ，ｗのＡ面７５６ｔａ，ｗａが、それぞれ溝９０６ｔ，ｗのＡ面９４２，９６２に接触し、Ｂ面７５６ｔｂ，ｗｂが、それぞれＢ面９４６，９６６に接触することで、装置側端子部７０のＺ軸方向の移動が規制される。これにより、カートリッジ側端子５２１ａと端子接点７２２ａとのＸ軸方向及びＺ軸方向の位置が定められる。そして、位置決め凸部７５６の接触部分９２６への挿入が始まった後、完全な挿入が完了する直前に、端子接点７２２ａが初めてカートリッジ側端子５２１ａに接触する。この時点では、位置決め凸部７５６ｔ，ｗの先端面７５６ｔｄ，７５６ｗｄは溝９０６ｔ，ｗのＤ面９４８，９６８に接触しておらず、更にカートリッジ４を押し進めることが可能である。図３５に示す状態から、カートリッジ４を更に−Ｙ軸方向に押し進めると、装置側端子７２１ａが弾性変形し、装置側端子７２１ａの接点７２２ａがカートリッジ側端子５２１ａと接触しながら矢印ＹＲ１ａの向きに移動する。このとき、僅かに装置側端子群とカートリッジ側端子群とが擦れ合う。そして、最終的には、図３６に示すように、位置決め凸部７５６ｔ，ｗの先端面７５６ｔｄ，ｔｗが溝９０６ｔ，ｗのＤ面９４８，９６８に接触し、カートリッジ側端子５２１ａと端子接点７２２ａとのＹ軸方向の位置が定められる。この状態で、カートリッジ４のカートリッジ装着部６への装着が完了する。また、装着完了時及び装着状態では、図３５に示した装着の最終段階と同様、位置決め凸部７５６ｔ，ｗのＡ面７５６ｔａ，ｗａと溝９０６ｔ，ｗのＡ面９４２，９４４とが＋Ｚ軸方向において接触している。また、Ｂ面７５６ｔｂ，ｗｂと溝９０６ｔ，ｗのＢ面９４６，９６６とが−Ｚ軸方向において接触している。また、第１の位置決め部のＣ面７５６ｔｃが＋Ｘ軸方向において第１の溝９０６ｔのＣ面９４４と接触し、第２の位置決め部のＣ面７５６ｗｃが−Ｘ軸方向において第２の溝９０６ｗのＣ面９６４と接触している。よって、位置決め凸部７５６ｔ，ｗのＺ軸方向及びＸ軸方向の動きが、溝９０６ｔ，ｗによって規制される。これにより、装置側端子７２１ａとカートリッジ側端子５２１ａとの接触を良好に図ることができる位置に、両者７２１ａ，５２１ａを保持することができる。
【００９５】
Ａ−６．カートリッジ４のその他の構成：
図３７は、カートリッジ４の分解斜視図である。図３７に示すように、ケース９は、印刷材収容部４５０と、カートリッジ側流路部材４８０とを収容する。印刷材収容部４５０は、内部にインクを収容する。また、印刷材収容部４５０は、可撓性を有する袋体である。本実施例では、印刷材収容部４５０は樹脂フィルム層の上にアルミニウム層が積層形成されたアルミラミネート複層フィルムにより形成されている。カートリッジ側流路部材４８０は、印刷材収容部４５０と外部とを連通させる流路（「印刷材導出流路」とも呼ぶ。）を形成する。すなわち、カートリッジ側流路部材４８０は、一端部が印刷材収容部４５０内に接続され、他端部に設けられた印刷材導出管４８４が印刷材供給管６４２（図４）に接続される。印刷材導出流路の途中には、検出室４８２が設けられている。検出室４８２内には、付勢部材としてのコイルばね４９６と、逆止弁４９５と、受圧板４９３とが収容される。また、検出室４８２の一側面である開口は可撓性を有するフィルム４９２によって覆われている。受圧板４９３は、コイルばね４９６とフィルム４９２との間に配置されている。コイルばね４９６は、検出室４８２の容積を増大させるように受圧板４９３を付勢する。ケース９は、さらにレバー部材４９０を収容する。レバー部材４９０は、フィルム４９２に検出室４８２の外側から接する。検出室４８２は、内部の圧力の変化に応じて容積が変化する。検出室４８２の容積の変化によりレバー部材４９０が変位する。上述のごとく、レバー部材４９０にはロッド６６２（図４）が当接している。印刷材収容部４５０にインクが収容されている状態で、ポンプ機構７により印刷材収容部４５０内が吸引された場合、吸引に伴って検出室４８２内にもインクが供給される。これにより検出室４８２内の圧力は所定圧に維持される。このとき、検出室４８２の容積は大きく維持されているため、ロッド６６２（図４）は、レバー部材４９０によって、付勢部材６６５（図４）によって付与される付勢力に抗して−Ｙ軸方向へ押された状態となっている。一方、印刷材収容部４５０のインクが無くなった状態で、ポンプ機構７により印刷材収容部４５０内が吸引された場合、検出室４８２内は負圧となる。検出室４８２内が負圧となることで所定圧の時よりも検出室４８２内の容積が減少し、レバー部材４９０が変位する。それに伴い、ロッド６６２（図４）は、付勢部材６６５（図４）によって付与される付勢力によって、＋Ｙ軸方向へ変位する。このレバー部材４９０の変位に伴うロッド６６２（図４）の変位をセンサー１３８（図４）が検出することで、インクエンド状態を制御部３１が検出できる。なお、検出室４８２、コイルばね４９６、受圧板４９３、フィルム４９２、レバー部材４９０は、プリンター１０側でインクエンド状態を検出するために利用される検出機構を構成する。なお、カートリッジ側流路部材４８０はさらに、外部から印刷材収容部４５０にインクを注入するための注入流路４８３を有する。印刷材収容部４５０にインクが注入された後は、注入流路４８３は塞がれる。
【００９６】
Ａ−７．効果：
先に図１０乃至図１２を参照して説明したように、本実施例では、装置側端子部７０がＸ軸方向とＺ軸方向に移動可能になっている。そして、図２７〜３０に示したように、カートリッジ４が、このような装置側端子部７０が挿入される凹部９０を有している。これにより、カートリッジ装着部６やカートリッジ４に製造誤差が生じていた場合でも、カートリッジ４がカートリッジ装着部６に装着される際に、装置側端子部７０が移動することで、カートリッジ４の凹部９０内に、その誤差を吸収しながら導かれる（図３４）。そして、最終的には、凹部９０に設けられた第１及び第２の規制部９０６ｔ，９０６ｗによって、装置側端子群７２１とカートリッジ側端子群５２１との位置決めが行われる。すなわち、装着完了時及び装着状態では、カートリッジ４の凹部９０に設けられた第１及び第２の規制部９０６ｔ，９０６ｗが、装置側端子部７０の第１及び第２の位置決め凸部７５６ｔ，７５６ｗのＺ軸方向及びＸ軸方向の動きを規制することで、装置側端子群７２１とカートリッジ側端子群５２１とを位置決めする。よって、装置側端子群７２１とカートリッジ側端子群５２１との接触を良好に図ることができる。
【００９７】
また、上記実施例では、図１３に示したように、Ｙ軸方向に平行な中心軸Ｃｂを有するロッド６６２が、装置側前壁部６２のうち、第１の装置側側壁部６３と第２の装置側側壁部６４との中間の位置に設けられる。そして、図２１に示したように、ロッド６６２が挿入されるロッド挿入孔４２０が、カートリッジ４の前面４２のうち第１と第２側面４３，４４のＺ軸方向における中間の位置に設けられている。本実施形態では、ロッド挿入孔４２０にロッド６６２が挿入されることで、カートリッジ装着部６に対するカートリッジ４の全体の位置決めを行い、正しい装着位置からの位置ずれを抑制する。よって、ロッド挿入孔４２０近傍の位置ずれは良好に抑制できる。しかし、前面４２のコーナー部８９に設けられたカートリッジ側端子群５２１（図２１）とロッド挿入孔４２０は、離れた位置にあり、このようにロッド挿入孔４２０から離れた位置にある部材の位置ずれを抑制することは困難となる場合がある。特に、本実施例のカートリッジ４は、大判印刷用のプリンター１０に用いられる大容量タイプのカートリッジ４であるため、サイズが大きく、カートリッジ側端子群５２１とロッド挿入孔４２０とがそれなりに離れた位置にある。しかしながら、上記のように、Ｘ軸方向とＺ軸方向に移動可能な装置側端子部７０や、このような装置側端子部７０が挿入される凹部９０の構成を採用することによって、カートリッジ側端子群５２１と装置側端子群７２１との位置決めを精度良く行なうことができる。すなわち、本実施例によれば、大容量タイプのサイズが大きいカートリッジ４であっても、カートリッジ４全体の位置決めを精度良く行いつつ、また、カートリッジ４の製造誤差を吸収しつつ、装置側端子群７２１とカートリッジ側端子群５２１とを精度良く位置決めすることが可能となる。
【００９８】
また、本実施形態では、印刷材供給管６４２が、ロッド６６２と装置側端子部７０との間に設けられる（図１３）。そして、印刷材供給管６４２が挿入される供給管挿入孔４２４が、ロッド挿入孔４２０と凹部９０との間に設けられている（図２１）。つまり、印刷材供給管６４２は、ロッド６６２により近い位置に設けられる。また、供給管挿入孔４２４は、ロッド挿入孔４２０により近い位置に設けられる。よって、印刷材供給管６４２と供給管挿入孔４２４との間の位置ずれを、良好に抑制できる。
【００９９】
また、図１８に示したように、装置側端子群７２１は、＋Ｙ軸方向成分及び−Ｚ軸方向成分を含む方向を向いて傾斜した表面７２４ｆａ上に設けられている。そして、図２９に示したように、カートリッジ側端子群５２１は、−Ｙ軸方向成分と＋Ｚ軸方向成分を含む方向を向いて傾斜する傾斜面５０ｆａに設けられている。すなわち、装置側端子群７２１とカートリッジ側端子群５２１は、いずれもカートリッジ４のカートリッジ装着部６への挿入方向である−Ｙ軸方向に対して同じような傾きで傾斜した面に設けられている。先に図３３〜３６を参照して説明したように、カートリッジ４がカートリッジ装着部６に挿入されるとき、カートリッジ４は−Ｙ軸方向に進行する。このとき、カートリッジ側端子群５２１も−Ｙ軸方向に進行して装置側端子群７２１に徐々に近づいていくが、装着が完了する直前まで両者が接触することはない。装着の最終段階で、カートリッジ４の凹部９０に装置側端子部７０が挿入された後、装着が完了する直前に僅かに装置側端子群７２１とカートリッジ側端子群５２１とが擦れ合う（図３５，図３６）。そして、装着完了時及び装着状態では、カートリッジの凹部９０に設けられた第１及び第２の規制部９０６ｔ，９０６ｗが、装置側端子部７の第１及び第２の位置決め凸部７５６ｔ，７５６ｗのＺ軸方向及びＸ軸方向の動きを規制することで、装置側端子群７２１とカートリッジ側端子群５２１とを位置決めする。このように、カートリッジ４の装着時に装置側端子群７２１とカートリッジ側端子群５２１とがほとんど擦れ合うことが無い一方で、カートリッジ４の装着が完了する直前に僅かに装置側端子群７２１とカートリッジ側端子群５２１とが擦れ合うことにより、カートリッジ４の装着時に、装置側端子群７２１がカートリッジ４のケース９等に擦れ合って削りカスが発生する可能性を低減できる。また、仮に埃が装置側端子群７２１の近傍に存在し、装置側端子群７２１とカートリッジ側端子群５２１との間に挟まった場合でも、装置側端子群７２１がカートリッジ側端子群５２１の表面を直線的に擦り上げながら接触を行うことで、埃を接触部から排出する効果（ワイピング効果）を発揮し、埃が装置側端子群７２１とカートリッジ側端子群５２１との間に挟まる可能性を低減できる。
【０１００】
また、上記実施例によれば、図１６，図１７及び図３６に示したように、装置側端子部７０の第１及び第２の位置決め凸部７５６ｔ，ｗの＋Ｚ軸方向側の端部にＡ面７５６ｔａ，ｗａが設けられており、−Ｚ軸方向側の端部にＢ面７５６ｔｂ，ｗｂが設けられている。そして、図２８乃至図３０及び図３６に示したように、凹部９０に設けられた第１及び第２の規制部としての溝９０６ｔ，ｗに、それぞれ、Ａ面９４２，９６４と、Ｂ面９４６，９６６とが設けられている。図３６に示したように、溝９０６ｔ，ｗのＡ面９４２，９６４は、装着常態において、第１及び第２の位置決め凸部７５６ｔ，ｗの＋Ｚ軸方向側の端部に設けられたＡ面７５６ｔａ，ｗａと接触する。溝９０６ｔ，ｗのＢ面９４６，９６６は、装着常態において、第１及び第２の位置決め凸部７５６ｔ，ｗの−Ｚ軸方向側の端部に設けられたＢ面７５６ｔｂ，ｗｂと接触する。つまり、第１及び第２の規制部９０６ｔ，ｗは、第１及び第２の位置決め凸部７５６ｔ，ｗの±Ｚ方向の動きを規制する。これにより、装置側端子群７２１に対するカートリッジ側端子群５２１のＺ軸方向の位置決めを精度良く行なうことができる。よって、装置側端子群７２１とカートリッジ側端子群５２１との接触をより良好に図ることができる。しかも、＋Ｚ軸方向と−Ｚ軸方向の両側で装置側端子部７０を保持できるため、プリンター１０の使用時に振動や外部からの衝撃が加わっても、このような振動や衝撃による装置側端子群７２１とカートリッジ側端子群５２１との接触位置のずれを、抑制できる。
【０１０１】
さらに、上記実施例によれば、図１６、図１７、図２７及び図２８に示したように、第１の規制部としての第１の溝９０６ｔが、接触することによって第１の位置決め凸部７５６ｔの＋Ｘ軸方向の動きを規制し、第２の規制部としての第２の溝９０６ｗが、接触することによって第２の位置決め凸部７５６ｗの−Ｘ軸方向の動きを規制する。すなわち、第１の溝９０６ｔと第２の溝９０６ｗによって、装置側端子部７０の±Ｘ軸方向の動きを規制する。これにより、装置側端子群７２１に対するカートリッジ側端子群５２１のＸ軸方向の位置決めを精度良く行なうことができる。よって、装置側端子群７２１とカートリッジ側端子群５２１との接触をより一層良好に図ることができる。しかも、＋Ｘ軸方向と−Ｘ軸方向の両側で装置側端子部７０を保持できるため、プリンター１０の使用時に振動や外部からの衝撃が加わっても、このような振動や衝撃による装置側端子群７２１とカートリッジ側端子群５２１との接触位置のずれを更に抑制できる。
【０１０２】
さらに、上記実施例では、図２８乃至図３０及び図３６に示したように、第１及び第２の規制部としての溝９０６ｔ，ｗが、それぞれ第１及び第２の位置決め部の＋Ｙ軸方向側端部のＤ面７５６ｔｄ，ｗｄと接触するＤ面９４８，９６８を備える。これにより、カートリッジ４をカートリッジ装着部６に挿入する際に、装置側端子部７０が過度に＋Ｙ軸方向に進行しすぎることで、カートリッジ凹部９０内の底壁９８８に強く衝突することを防ぐことができる。これにより、装置側端子部７０の破壊を防ぐことができる。
【０１０３】
また、上記実施例では、図２７乃至図３０に示したように、第１の側壁９０２ｔ，９０２ｗにそれぞれ溝９０６ｔ，９０６ｗを形成することで、第１及び第２の位置決め凸部７５６ｔ，７５６ｗの動きを規制するための第１及び第２の規制部を容易に形成できる。また、本実施例では、図２７乃至図３０に示したように、利用者によって着脱されるカートリッジ４側の構成要素を溝９０６とし、図１５及び図１７に示したように、不動のカートリッジ装着部６側の構成要素を突出する部材７５６とすることで、着脱の際にカートリッジ４の第１と第２の規制部９０６ｔ，９０６ｗがプリンター１０の構成部材に衝突し、プリンター１０やカートリッジ４が破損する可能性を低減できる。
【０１０４】
また、上記実施例では、図２９，図３０，及び図３３乃至図３６に示したように、第１及び第２の規制部９０６ｔ，ｗが、それぞれ、−Ｙ軸方向側の端面に設けられた開口９４１，９６１から＋Ｙ軸方向に延び、＋Ｙ軸方向に向かうに従ってＺ軸方向の寸法が減少する入口部分９１６ｔ，ｗを備える。すなわち、入口部分９１６ｔ，ｗには、Ｚ軸方向に徐々に寸法が減少するようなテーパーが設けられている。これにより、カートリッジ４やカートリッジ装着部６にＺ軸方向の製造誤差が生じた場合でも、カートリッジ４の凹部９０に設けられた規制部９０６が、Ｚ軸方向に移動可能な装置側端子部７０の位置決め凸部７５６を容易に案内できるようになる（図３４）。また、第１及び第２の規制部９０６ｔ，ｗは、入口部分９１６ｔ，ｗの＋Ｙ軸方向の端部から＋Ｙ軸方向側に延び、Ｚ軸方向の寸法が一定であり、装着状態において第１及び第２の位置決め部７４５ｔ，ｗとそれぞれ接触する接触部分９２６ｔ，ｗを有する。これにより、入口部分９１６ｔ，ｗに装置側端子部７０の位置決め部７４５ｔ，ｗを案内した後、接触部分９２６ｔ，ｗまで押し進めることで、装置側端子群７２１のカートリッジ側端子群５２１に対する位置決めを精度良く行なうことができる。
【０１０５】
また、図２８に示すように、上記実施例では、入口部分９１６は、さらに、−Ｙ軸方向から＋Ｙ軸方向に向かうに従ってＸ軸方向の寸法が減少している。これにより、カートリッジ４やカートリッジ装着部６にＸ軸方向の製造誤差が生じた場合でも、規制部９０６が位置決め凸部７５６を容易に案内できるようになる。ただし、カートリッジ４やカートリッジ装着部６の各スロットのＸ軸方向の寸法（幅）は、Ｚ軸方向の寸法に比べてかなり小さいため、これらのＸ軸方向の製造誤差は、Ｚ軸方向の製造誤差よりも相対的にかなり小さくなると考えられる。よって、位置決め凸部７５６ｔ，ｗを案内し易くなるという効果は、入口部分９１６のＺ軸方向にテーパーを設けるだけで、Ｘ軸方向にはテーパーを設けなくても、十分達成することが可能である。
【０１０６】
さらに、図２８乃至図３０に示すように、本実施形態では、入口部分９１６ｔ，ｗと対応するように、凹部９０の側壁９０２ｗ，ｔの入口部分９０２ｗａ，ｔａも、テーパー形状となっている。すなわち、入口部分９０２ｗａ，ｔａ部分における側壁９０２ｗ，９０２ｔ間の距離（Ｘ軸方向における間隔）は、−Ｙ軸方向から＋Ｙ軸方向に向かうに従って小さくなる。このように、凹部９０の入口部分９０２ｗａ，ｔａが装置側端子部７０を受け入れる間口を広くすることによって、カートリッジ４の凹部９０に装置側端子部７０を案内しやすくすることが可能である。
【０１０７】
また、図２７に示すように、上記実施例では、凹部９０の底壁９８８のうち表面５０ｆａのＸ軸方向の両側部分、すなわち、カートリッジ側端子群５２１が設けられた傾斜面５０ｆａと凹部９０の第１及び第２の側壁９０２ｔ，ｗとの間に、ホルダーの一部が挿入される一対の底壁側凹部９１０ｔ，ｗを有する。これら一対の底壁側凹部９１０ｔ，ｗにより、カートリッジ側端子群５２１の＋Ｘ軸方向側及び−Ｘ軸方向側の側方に、略三角形の面が露出する。これにより、カートリッジ側端子群５２１を回路基板５０に設ける場合は、回路基板５０の取り付けや取り外しを容易に行うことが可能となる。また、図１６に示すように、装置側端子群７２１の＋Ｘ軸方向側の側方及び−Ｘ軸方向側の側方には、表面７２４ｆａに対して＋Ｙ軸方向成分と−Ｚ軸方向成分を含む方向に突出するように、一対の突起７５９ｔ，ｗが設けられている。凹部９０に設けられた底壁側凹部９１０ｔ，ｗは、それぞれ、突起７５９ｔ，ｗを受け入れる空間となる。そして、底壁側凹部９１０ｔ，ｗに突起７５９ｔ，ｗが受け入れられることにより、規制部９０６と位置決め凸部７５６によるカートリッジ側端子群５２１及び装置側端子群７２１との位置決めや位置ずれの抑制に加え、カートリッジ側端子群５２１及び装置側端子群７２１により近い位置でも、両者の位置決めや位置ずれの抑制を行うことが可能となる。これにより、装置側端子群７２１とカートリッジ側端子群５２１との接触を、より良好に図ることができる。
【０１０８】
また、上記実施例では、図２８に示すように、カートリッジ４のＸ軸方向の寸法の中心を構成するＹＺ平面２８ｃに対して、回路基板５０及び凹部９０を構成する各要素が対称に設けられている。また、図２８には示していないが、ＹＺ平面２８ｃは、第１側面４３に設けられた第１係止部４３６（図２５）及び第２側面４４に設けられた第２係止部４４６（図２５）のＺ軸方向の寸法（幅）の中心を通る。また、この第１係止部４３６及び第２係止部４４６を係止する板ばね６８４及び６０５（図６，７）は、このＹＺ平面２８ｃと交差する。よって、カートリッジ４がカートリッジ装着部６に装着された状態で、装置側端子部７０や板バネ６０４及び６８４（図６，図７）などから受ける力がバランスよくカートリッジ４に作用するため、カートリッジ４が傾きにくい。このことによっても、装置側端子群７２１とカートリッジ側端子群５２１との接触を、より良好に図ることが可能となる。
【０１０９】
また、上記実施例では、カートリッジ装着部６は端子台７２４を保持する位置決め部７５０を有する（図１４〜図１６）。すなわち、上記実施例では、端子台７２４を直接に装置側前壁部６２に取り付けるのではなく、位置決め部７５０を介して装置側前壁部６２に取り付けることで、端子台７２４及び装置側端子群７２１が汎用性に優れた部品となる。すなわち、装置側端子群７２１とカートリッジ側端子群５２１との位置決めを行うための位置決め凸部７５６は、カートリッジ４やプリンター１０の仕様に応じて異なる場合がある。設計変更が必要な位置決め凸部７５６を端子台７２４ではなく位置決め部７５０に設けることで、端子台７２４と端子台７２４に保持される装置側端子群７２１の形状を一定にすることができる。これにより、端子台７２４と装置側端子群７２１が汎用性に優れた部品となる。
【０１１０】
Ｂ．第２実施例：
第２実施例の印刷材供給システム１Ａは、第１実施例の印刷材供給システム１と比較して、カートリッジ４の端子収容室９００（図２７参照）の構成が異なるが、それ以外は同様である。第２実施例の説明では、第１実施例と同様の構成については同一の符号を付すと共に説明を省略する。なお、プリンター１０の構成は第１実施例と同様である。
【０１１１】
図３８は、端子収容部９００Ａ近傍の外観斜視図である。図３９は、端子収容部９００Ａ近傍を＋Ｚ軸方向側から見た図である。図４０は、端子収容部９００Ａ近傍を−Ｘ軸方向側から見た図である。図４１は、端子収容部９００Ａ近傍の正面図である。
【０１１２】
図３８に示すように、第１実施例の端子収容部９００と同様に、第２実施例の端子収容部９００Ａについても、プリンター１０の装置側端子部７０（図１０参照）が挿入されるように凹部９０が形成されている。凹部９０は、カートリッジ４の上面４３と前面４２が交わる部分近傍の窪んでいる部分である。第１実施例の端子収容部９００と異なり、第２実施例の端子収容部９００Ａは、一対の側壁９０２ｔ、９０２ｗ（図２７参照）はなく、凹部は、底壁９８８と後壁９８６とを主要な面として構成されている。
【０１１３】
回路基板５０は、凹部９０に設けられている。凹部９０を構成する面である後壁９８６及び底壁９８８は、回路基板５０を支持しているため、支持部とも呼ぶ。回路基板５０の表面５０ｆａには、カートリッジ側端子群５２１が設けられている。カートリッジ側端子群５２１は、複数の端子（本実施例では、９個）を備える。装着状態において、カートリッジ側端子群５２１の各端子は、装置側端子群７２１（図１６参照）の対応する各端子と接触することで、電気的に接続可能な端子である。
【０１１４】
図３８に示すように、装置側端子群７２１と接触するカートリッジ側端子群５２１の部分を、接触部５２２と呼ぶ。また、カートリッジ側端子群５２１と接触する装置側端子群７２１の端子接点７２２（図１６参照）は、−Ｙ軸方向（装着方向）において所定の間隔をおいて配置される複数の列（本実施例では列Ｃ１と列Ｃ２との２列）を形成している。このため、カートリッジ側端子群５２１の複数（本実施例では９個）の接触部５２２についても、−Ｙ軸方向において所定の間隔をおいて配置される複数の列（本実施例では２列）を形成している。本実施例では、複数の列を２列としているが、３列以上としてもよい。
【０１１５】
回路基板５０の表面５０ｆａは、装着方向（−Ｙ軸方向）に対して傾斜している。また、複数の接触部５２２は、回路基板５０の表面５０ｆａ上に存在する。このため、複数の接触部５２２を通る仮想面ＶＳは、回路基板５０の表面５０ｆａと接する面であり、装着方向（−Ｙ軸方向）に対して傾斜している。
【０１１６】
図１０に示すとおり、装置側端子部７０は、装置側前壁部６２（詳細には、端子装着部６９４）に対してＸ軸方向及びＺ軸方向に移動可能な状態で取り付けられている。つまり、装置側端子部７０は、装置側前壁部６２に対して装着方向（−Ｙ軸方向）に交差する交差方向に移動可能な状態で取り付けられている。交差方向とは、Ｘ軸方向とＺ軸方向とを含む方向である。
【０１１７】
本実施例では、端子収容部９００Ａは、凸部９１５を有する。凸部９１５は、支持部を構成する後壁９８６に設けられており、後壁９８６から離れる方向に向かって突出する。つまり、凸部９１５は、支持部を構成する後壁９８６から装着方向の前方（−Ｙ軸方向）に向かって突出する。凸部９１５は、＋Ｙ軸方向から−Ｙ軸方向に向かうに従ってＺ軸方向の寸法が小さくなる形状である。また、図４０に示すように、凸部９１５の−Ｚ軸方向側の部分である下部９１５ａは、ＸＹ軸平面と平行である。一方、凸部９１５の＋Ｚ軸方向側の部分である上部９１５ｂは、ＸＹ軸平面に対して傾斜している。つまり、凸部９１５の上部９１５ｂは、装着方向（−Ｙ軸方向）に対して傾斜している。回路基板５０と凸部９１５とを含む部分を、端子接続部９５とも呼ぶ。端子接続部９５は、プリンター１０に装着可能な部分である。つまり、端子接続部９５は、プリンター１０の装置側端子部７０への接続に供される部分あるいはユニットである。
【０１１８】
カートリッジ４がプリンター１０に装着された状態において、凸部９１５は、図１０に示す装置側端子部７０の位置決め凹部７５４と係合する。図１４に示すように、位置決め凹部７５４は、位置決め部７５０と端子台７２４とから構成される−Ｙ軸側に設けられた窪みである。具体的には、位置決め凹部７５４は、（ｉ）位置決め部７５０の一対の壁部７５２ｔ，７５２ｗと、（ｉｉ）位置決め部７５０の−Ｙ軸側にある面であり、ＸＹ軸平面と水平な面である面７５３と、（ｉｉｉ）端子台７２４の表面７２４ｆａと、を主要な面として構成されている。
【０１１９】
図４２は、カートリッジ４の凸部９１５とプリンター１０の位置決め凹部７５４とが係合されている状態を示すＹＺ平面における断面図である。図４２に示すように、この状態において、凸部９１５の下部９１５ａは、位置決め凹部７５４を形成する位置決め部７５０の面７５３と接する。
【０１２０】
図４３は、カートリッジ４の凸部９１５とプリンター１０の位置決め凹部７５４とが係合されている状態を示すＸＹ平面における断面図である。図４３に示すように、この状態において、凸部９１５の＋Ｘ軸方向側の部分である第１側部９１５ｔは、位置決め凹部７５４の第１壁部７５２ｔと接する。また、凹部９１５の−Ｘ軸方向側の部分である第２側部９１５ｗは、位置決め凹部７５４の第２壁部７５２ｗと接する。つまり、凸部９１５の側部９１５ｔ，９１５ｗは、位置決め部７５０の壁部７５２と接する。
【０１２１】
本実施例では、カートリッジ４がプリンター１０に装着された状態において、凸部９１５は、図１０に示す位置決め凹部７５４と係合する。このため、装置側端子群７２１のカートリッジ側端子群５２１に対する位置決めを精度良く行なうことができる。
【０１２２】
本実施例では、図４２に示すように、凸部９１５の下部９１５ａは、位置決め凹部７５４を形成する位置決め部７５０の面７５３と接する。また、凸部９１５の上部９１５ｂは、位置決め凹部７５４を形成する端子台７２４の表面７２４ｆａと接する。このため、Ｚ軸方向における装置側端子群７２１の動きを、下部９１５ａと上部９１５ｂとが抑制する。この結果、装置側端子群７２１とカートリッジ側端子群５２１とを良好に接触させることができる。
【０１２３】
本実施例では、図４３に示すように、凸部９１５の側部９１５ｔ，９１５ｗは、位置決め部７５０の壁部７５２と接する。このため、Ｘ軸方向における装置側端子群７２１の動きを、カートリッジ４に備えられた凸部９１５の側部９１５ｔ，９１５ｗが規制することができる。この結果、装置側端子群７２１とカートリッジ側端子群５２１とを良好に接触させることができる。
【０１２４】
Ｃ．第３実施例：
第３実施例の印刷材供給システム１Ｂは、第２実施例の印刷材供給システム１Ａと比較して、端子収容部９００Ｂの構成が異なるが、それ以外は同様である。
【０１２５】
図４４を用いて第３実施例の端子収容部９００Ｂの詳細構成について説明する。図４４は、端子収容部９００Ｂ近傍の外観斜視図である。
【０１２６】
図４４に示すように、第３実施例において、凸部９１５Ａは、後壁９８６から−Ｙ軸方向に突出している。凸部９１５Ａは、Ｘ軸方向において、回路基板５０に対して＋Ｘ軸方向側の第１凸部９１５Ａｔと、回路基板５０に対して−Ｘ軸方向側の第２凸部９１５Ａｗと、を備える。
【０１２７】
第１凸部９１５Ａｔは、（ｉ）後壁９８６と接し、略四角柱状である部材９１７ｔと、（ｉｉ）部材９１７ｔから−Ｙ軸方向に伸び、略円柱状の部材９１８ｔとを備える。同様に、第２凸部９１５Ａｗは、（ｉ）後壁９８６と接し、略四角柱状である部材９１７ｗと、（ｉｉ）部材９１７ｗから−Ｙ軸方向に伸び、略円柱状の部材９１８ｗとを備える。部材９１７ｔと部材９１７ｗとを総称して、部材９１７とも呼び、部材９１８ｔと部材９１８ｗとを総称して部材９１８とも呼ぶ。
【０１２８】
第１凸部９１５Ａｔと第２凸部９１５Ａｗは、それぞれ、部材９１８を３本ずつ備える。第１凸部９１５Ａｔは、部材９１８ｔとして、＋Ｚ軸方向側から順に、９１８ｔａ、９１８ｔｂ、９１８ｔｃを備える。同様に、第２凸部９１５Ａｗは、部材９１８ｗとして、＋Ｚ軸方向側から順に、９１８ｗａ、９１８ｗｂ、９１８ｗｃを備える。部材９１８ｔａ、９１８ｔｂ、９１８ｔｃは、Ｚ軸方向において、等間隔に設けられている。同様に、部材９１８ｗａ、９１８ｗｂ、９１８ｗｃは、Ｚ軸方向において、等間隔に設けられている。また、Ｘ軸方向において、部材９１８ｔａと９１８ｔｃは、同じ位置に設けられており、部材９１８ｔｂは、部材９１８ｔａ、９１８ｔｃよりも＋Ｘ軸方向側に設けられている。一方、Ｘ軸方向において、部材９１８ｗａと９１８ｗｃは、同じ位置に設けられており、部材９１８ｗｂは、部材９１８ｗａ、９１８ｗｃよりも−Ｘ軸方向側に設けられている。
【０１２９】
図４５は、カートリッジ４がプリンター１０に装着された状態における、カートリッジ４の部材９１８と装置側端子部７０の位置決め凸部７５６との関係を示すＸＺ断面図である。カートリッジ４がプリンター１０に装着された状態において、凸部９１５Ａは、装置側端子部７０の位置決め凸部７５６が交差方向（Ｘ軸方向及びＺ軸方向）に動くことを規制する。具体的には、以下の通りである。つまり、＋Ｚ軸方向側に位置する面であり、位置決め凸部７５６ｔの接触面７５６ｔａは、第１凸部９１５Ａｔの部材９１８ｔａと接する。Ｘ軸方向に交わる面であり、位置決め凸部７５６ｔの接触面７５６ｔｃは、第１凸部９１５Ａｔの部材９１８ｔｂと接する。同様に、＋Ｚ軸方向側に位置する面であり、位置決め凸部７５６ｗの接触面７５６ｗａは、第２凸部９１５Ａｗの部材９１８ｗａと接する。Ｘ軸方向に交わる面であり、位置決め凸部７５６ｗの接触面７５６ｗｃは、第２凸部９１５Ａｗの部材９１８ｗｂと接する。なお、図示していないが、＋Ｙ軸方向側に位置する面であり、位置決め凸部７５６ｔの接触面７５６ｔｄは、第１凸部９１５Ａｔの部材９１７ｔと接する。同様に、＋Ｙ軸方向側に位置する面であり、位置決め凸部７５６ｗの接触面７５６ｗｄは、第２凸部９１５Ａｗの部材９１７ｗと接する。
【０１３０】
本実施例では、図４５に示すように、凸部９１５Ａは、装置側端子部７０の位置決め凸部７５６と係合する。このため、装置側端子群７２１のカートリッジ側端子群５２１に対する位置決めを精度よく行なうことができる。なお、本実施例において、第１凸部９１５Ａｔと第２凸部９１５Ａｗは、部材９１８をそれぞれ３本ずつ備えるが、４本以上としてもよい。また、第１凸部９１５Ａｔと第２凸部９１５Ａｗは、部材９１８をそれぞれ２本ずつ備える態様としてもよい。この場合、凸部９１５Ａｔ，９１５Ａｗは、部材９１８ｔｂ，９１８ｗｂを備えず、装置側端子部７０の第１壁部７５２ｔ（図１６参照）を、部材９１８ｔａ、９１８ｔｃと接する態様とし、装置側端子部７０の第２壁部７５２ｗを、部材９１８ｗａ、９１８ｗｃと接する態様としてもよい。
【０１３１】
Ｄ．第４実施例：
第４実施例の印刷材供給システム１Ｃは、第３実施例の印刷材供給システム１Ｂと比較して、端子収容部９００Ｂの構成が異なるが、それ以外は同様である。
【０１３２】
図４６を用いて第４実施例の端子収容部９００Ｃの詳細構成について説明する。図４６は、端子収容部９００Ｃ近傍の外観斜視図である。
【０１３３】
図４６に示すように、第３実施例において、凸部９１５Ｃは、後壁９８６から−Ｙ軸方向に突出している。凸部９１５Ｃは、複数（本実施例では、２個）設けられており、Ｘ軸方向において、回路基板５０に対して＋Ｘ軸方向側の第１凸部９１５Ｃｔと、回路基板５０に対して−Ｘ軸方向側の第２凸部９１５Ｃｗと、を備える。
【０１３４】
第１凸部９１５Ｃｔは、（ｉ）後壁９８６と接し、略四角柱状である部材９１７Ｃｔと、（ｉｉ）部材９１７Ｃｔから−Ｙ軸方向に伸び、略四角柱状の部材９１８Ｃｔとを備える。同様に、第２凸部９１５Ｃｗは、（ｉ）後壁９８６と接し、略四角柱状である部材９１７Ｃｗと、（ｉｉ）部材９１７Ｃｗから−Ｙ軸方向に伸び、略四角柱状の部材９１８Ｃｗとを備える。部材９１７Ｃｔと部材９１７Ｃｗとを総称して、部材９１７Ｃとも呼び、部材９１８Ｃｔと部材９１８Ｃｗとを総称して部材９１８Ｃとも呼ぶ。
【０１３５】
部材９１８Ｃｔの−Ｙ軸方向側には、−Ｘ軸方向へ突出する突出部９１９Ｃｔが設けられている。同様に、部材９１８Ｃｗの−Ｙ軸方向側には、＋Ｘ軸方向へ突出する突出部９１９Ｃｗが設けられている。突出部９１９Ｃｔと突出部９１９Ｃｗとは、互いに対向するようにＸ軸方向に突出している。つまり、９１５Ｃｔ，Ｃｗの一部は、互いに対向するようにＸ軸方向に突出している。突出部９１９Ｃｔと突出部９１９Ｃｗとを総称して突出部９１９Ｃとも呼ぶ。
【０１３６】
カートリッジ４がプリンター１０に装着された状態において、凸部９１５Ｃの突出部９１９Ｃは、図１０に示す凹部７７７と係合する。凹部７７７は、位置決め部７５０に備えられており、位置決め凹部７７７とも呼ぶ。図１６に示すように、凹部７７７は、位置決め凸部７５６の＋Ｙ軸方向側に設けられた窪みである。位置決め凸部７５６ｔに設けられた窪みを凹部７７７ｔとも呼び、位置決め凸部７５６ｗに設けられた窪みを凹部７７７ｗとも呼ぶ。
【０１３７】
図４７は、カートリッジ４の凸部９１５Ｃとプリンター１０の凹部７７７とが係合されている状態を示す外観斜視図である。図４７に示すように、カートリッジ４の凸部９１５Ｃは、プリンター１０の凹部７７７に挿入される。つまり、第１凸部９１５Ｃｔの突出部９１９Ｃｔは、凹部７７７ｔに挿入され、第２凸部９１５Ｃｗの突出部９１９Ｃｗは、凹部７７７ｗに挿入される。
【０１３８】
本実施例では、凸部９１５Ｃは位置決め凸部７５６が交差方向（Ｘ軸方向およびＺ軸方向）に動くことを規制する規制部として機能する。このため、装置側端子群７２１のカートリッジ側端子群５２１に対する位置決め精度を精度よく行なうことができる。
【０１３９】
また、カートリッジ４の凸部９１５Ｃはプリンター１０の凹部７７７に係止されている。このため、装置側端子群７２１に対して、カートリッジ側端子群５２１が離れる方向へ相対移動することを抑制できる。つまり、凸部９１５Ｃの突出部９１９Ｃは、カートリッジ４がプリンター１０から容易に抜けることを防止することができる。
【０１４０】
Ｅ．第５実施例：
第５実施例の印刷材供給システム１Ｄは、第４実施例の印刷材供給システム１Ｃと比較して、端子収容部９００Ｄの構成が異なるが、それ以外は同様である。
【０１４１】
図４８を用いて第５実施例の端子収容部９００Ｄの詳細構成について説明する。図４８は、端子収容部９００Ｄ近傍の外観斜視図である。図４９は、端子収容部９００Ｄ近傍の正面図である。
【０１４２】
図４８に示すように、第５実施例において、凸部９１５Ｄは、−Ｙ軸方向側に一対設けられ、＋Ｙ軸方向側に一対設けられている。凸部９１５Ｄは、いずれも回路基板５０の支持部である底壁９８８から＋Ｚ軸方向に突出している。つまり、凸部９１５Ｄは、底壁９８８から上方に向かって突出している。−Ｙ軸方向側に位置する一対の凸部９１５Ｄを、凸部９１５Ｄｆと呼ぶ。凸部９１５Ｄｆのうち、回路基板５０に対して＋Ｘ軸方向側に位置する一方を第１凸部９１５Ｄｆｔと呼び、−Ｘ軸方向側に位置する他方を第２凸部９１５Ｄｆｗと呼ぶ。また、＋Ｙ軸方向側に位置する一対の凸部９１５Ｄを、凸部９１５Ｄｕと呼ぶ。凸部９１５Ｄｕのうち、回路基板５０に対して＋Ｘ軸方向側に位置する一方を第３凸部９１５Ｄｕｔと呼び、−Ｘ軸方向側に位置する他方を第４凸部９１５Ｄｕｗと呼ぶ。凸部９１５Ｄの形状はいずれも、略四角柱である。
【０１４３】
第１凸部９１５Ｄｆｔは、＋Ｚ軸方向側に突出部９１９Ｄｔを備える。突出部９１９Ｄｔは、−Ｘ軸方向側に突出している。また、第２凸部９１５Ｄｆｗは、＋Ｚ軸方向側に突出部９１９Ｄｗを備える。突出部９１９Ｄｗは、＋Ｘ軸方向側に突出している。
【０１４４】
本実施例では、カートリッジ４がプリンター１０に装着された状態において、凸部９１５Ｄは、装置側端子部７０の位置決め凸部７５６（図１６参照）と係合する。具体的には、以下のとおりである。つまり、（ｉ）＋Ｚ軸方向側に位置する面であり、位置決め凸部７５６ｔの接触面７５６ｔａ、および、（ｉｉ）Ｘ軸方向に交わる面であり、位置決め凸部７５６ｔの接触面７５６ｔｃは、第１凸部９１５Ｄｆｔと接する。同様に、（ｉ）＋Ｚ軸方向側に位置する面であり、位置決め凸部７５６ｗの接触面７５６ｗａ、および、（ｉｉ）−Ｘ軸方向側に位置する面であり、位置決め凸部７５６ｗの接触面７５６ｗｃは、第２凸部９１５Ｄｆｗと接する。このため、装置側端子部７０の位置決め凸部７５６（図１６参照）が交差方向（Ｘ軸方向およびＺ軸方向）に動くことを規制することができる。
【０１４５】
Ｆ．第６実施例：
第６実施例の印刷材供給システム１Ｅは、第５実施例の印刷材供給システム１Ｄと比較して、端子収容部９００Ｅの構成が異なるが、それ以外は同様である。
【０１４６】
図５０を用いて第６実施例の端子収容部９００Ｅの詳細構成について説明する。図５０は、端子収容部９００Ｅ近傍の外観斜視図である。
【０１４７】
図５０に示すように、支持部である底壁９８８には、＋Ｚ軸方向に突出する一対の突出部９１５Ｅが設けられている。突出部９１５Ｅの形状は、略四角柱である。一対の突出部９１５Ｅのうち回路基板５０に対して＋Ｘ軸方向側に位置する一方を第１の突出部９１５Ｅｔとも呼び、−Ｘ軸方向側に位置する他方を第２の突出部９１５Ｅｗとも呼ぶ。一対の突出部９１５Ｅには、一対の溝９０８がそれぞれ設けられている。第１の突出部９１５Ｅｔの第１の溝９０８ｔは、＋Ｘ軸方向に窪んでおり、第２の突出部９１５Ｅｗの第２の溝９０８ｗは、−Ｘ軸方向に窪んでいる。
【０１４８】
本実施例では、カートリッジ４がプリンター１０に装着された状態において、凸部９１５Ｅの溝９０８は、装置側端子部７０の位置決め凸部７５６（図１６参照）と係合する。このため、装置側端子部７０の位置決め凸部７５６が交差方向（Ｘ軸方向およびＺ軸方向）に動くことを規制することができる。
【０１４９】
Ｇ．第７実施例：
第７実施例の印刷材供給システム１Ｆは、第６実施例の印刷材供給システム１Ｅと比較して、端子収容部９００Ｆの構成が異なるが、それ以外は同様である。
【０１５０】
図５１を用いて第７実施例の端子収容部９００Ｆの詳細構成について説明する。図５１は、端子収容部９００Ｆ近傍の外観斜視図である。
【０１５１】
図５１に示すように、第７実施例において、凸部９１５Ｆは、＋Ｙ軸方向側には一つ設けられ、−Ｙ軸方向側には一対設けられている。突出部９１５Ｆの形状は、いずれも略四角柱である。凸部９１５Ｆのうち＋Ｙ軸方向側に位置する凸部９１５Ｆａと呼ぶ。−Ｙ軸方向側に設けられた一対の凸部９１５Ｆのうち、回路基板５０に対して＋Ｘ軸方向側に位置する一方を凸部９１５Ｆｂと呼び、−Ｘ軸方向側に位置する他方を凸部９１５Ｆｃと呼ぶ。凸部９１５Ｆａは、−Ｙ軸方向成分と＋Ｚ軸方向成分とを含む方向に傾斜して突出している。一方、凸部９１５Ｆｂと凸部９１５Ｆｃは、＋Ｚ軸方向に突出している。
【０１５２】
第７実施例では、カートリッジ４がプリンター１０に装着された状態において、端子台７２４の面７２４ｆｃ（図１４参照）と、凸部９１５Ｆａが接する。なお、端子台７２４の面７２４ｆｃは、＋Ｙ軸方向成分と＋Ｚ軸方向成分とを含む方向を向く面である。また、位置決め部７５０の第１壁部７５２ｔと凸部９１５Ｆｂが接し、位置決め部７５０の第２壁部７５２ｗと凸部９１５Ｆｃが接する。このため、凸部９１５Ｆは、装置側端子部７０の位置決め凸部７５６が交差方向（Ｘ軸方向およびＺ軸方向）に動くことを規制することができる。
【０１５３】
Ｈ．変形態様：
以上、本発明のいくつかの実施例について説明したが、本発明はこれらの実施例に限定されず、その趣旨を逸脱しない範囲で種々の構成を採ることができる。例えば以下のような変形が可能である。
【０１５４】
Ｈ−１．変形例１：
上記実施例では、図２９に示すように、回路基板５０は記憶装置５２５を一体的に備える。しかし、本発明はこれに限られない。つまり、記憶装置５２５は回路基板５０と離れた位置に設けられていてもよい。
【０１５５】
図５２から図５４は、回路基板と記憶装置とが別体のカートリッジ４Ｃの一例を示す図である。なお、図５２から図５４は、回路基板と記憶装置以外は、簡略化している。図５２は、カートリッジ４Ｃの外観斜視図である。図５３は、カートリッジ４Ｃの−Ｙ軸方向側に設けられた回路基板５０Ｃ近傍の拡大図である。図５４は、カートリッジ４Ｃの＋Ｙ軸方向側に設けられた記憶装置５２５Ｃ近傍の拡大図である。本変形例では、回路基板５０Ｃと記憶装置５２５Ｃとは、ケーブル５５を介して電気的に接続されている。本変形例では、ケーブル５５としてＦＦＣ（Flexible Flat Cable）を用いる。図５３に示すように、回路基板５０Ｃとケーブル５５とはコネクタ５５ａで電気的に接続され、図５４に示すように、記憶装置５２５Ｃとケーブル５５とはコネクタ５５ｂで電気的に接続されている。図５４に示すように、記憶装置５２５Ｃは基板５２に設けられている。記憶装置５２５Ｃを回路基板５０Ｃと離れた位置に設けることにより、記憶装置５２５Ｃを配置する場所を柔軟に決定できる。なお、回路基板５０Ｃとケーブル５５とがＦＰＣ基板によって構成されていてもよく、ケーブル５５と基板５２とがＦＰＣ基板によって構成されていてもよく、回路基板５０Ｃと基板５２とケーブル５５とがＦＰＣ基板によって構成されていてもよい。
【０１５６】
Ｈ−２．変形例２：
上記実施例では、図２９に示すように、回路基板５０は、支持部９８８に支持されている。つまり、回路基板５０と支持部９８８は別体である。しかし、本発明はこれに限られない。つまり、回路基板５０と支持部９８８とは一体であってもよい。
【０１５７】
図５５は、回路基板５０と支持部９８８とが一体のカートリッジ４Ｄの例を示す上面図である。本変形例では、支持部である底壁９８８に、カートリッジ側端子群５２１が直接的にパターニングされている。なお、底壁９８８を構成する部材にカートリッジ側端子群５２１を直接的にパターニングし、それを凹部９０にはめ込んでもよい。
【０１５８】
Ｈ−３．変形例３：
記憶装置５２５に記憶されているインク残量やインクの有無の情報は、リセットあるいは書き換えが可能な態様としてもよい。リセットや書き換えは、プリンター１０で行なってもよく、他の装置により行なってもよい。
【０１５９】
Ｈ−４．変形例４：
上記実施例では、図３に示すように、カートリッジ４は、内部にインクが収容されている。しかし、本発明はこれに限られない。カートリッジ４は、内部にインクが収容されていなくてもよい。
【０１６０】
図５６は、内部にインクが収容されていないカートリッジ４Ｅの例を示す図である。本変形例では、カートリッジ４Ｅは、回路基板５０と凹部９０と供給管挿入孔４２４と有する前面４２を備える部材４２Ｅと、インクタンク４１０と、部材４２Ｅとインクタンク４１０とをつなぐチューブ４３０とを備える。インクタンク４１０に収容されたインクは、チューブ４３０を通じて部材４２Ｅに流入し、部材４２Ｅに流入したインクはプリンター１０へ流入する。このような態様とすることにより、プリンター１０とインクタンク４１０とを離れた場所に配置することができる。
【０１６１】
図５７は、内部にインクが収容されていないカートリッジ４Ｆの例を示す図である。カートリッジ４Ｆは、プリンター１０への装着を容易とするため、部材４２Ｅの＋Ｙ軸方向の端部に上面４３、底面４４、右側面４５、左側面４６に相当する面を有する箱状の部材４２Ｆが接続されている点がカートリッジ４Ｅと異なるが、それ以外は同じである。
【０１６２】
Ｈ−５．変形例５：
上記実施例では、図２７に示すように、回路基板５０は、プリンター１０に装着されていない状態においても、プリンター１０に装着されている状態と同様に、装着方向（−Ｙ軸方向）に対して傾斜している。しかし、本発明は、これに限らない。つまり、回路基板５０は、プリンター１０に装着されていない状態において、装着方向（−Ｙ軸方向）に対して傾斜していなくてもよい。
【０１６３】
図５８は、プリンター１０に装着されていない状態において、装着方向（−Ｙ軸方向）に対して傾斜していない回路基板５０の例を示す図である。本変形例では、回路基板５０の裏面と支持部９８８との間にバネＳが設けられている。このため、回路基板５０は、プリンター１０に装着されていない状態において、装着方向（−Ｙ軸方向）に対して平行であり、プリンター１０に装着されている状態において、装着方向（−Ｙ軸方向）に対して傾斜している。
【０１６４】
図５９は、プリンター１０に装着されていない状態において、装着方向（−Ｙ軸方向）に対して傾斜していない回路基板５０の例を示す図である。本変形例では、回路基板５０の裏面と支持部９８８との間にバネＳが設けられている。このため、回路基板５０は、プリンター１０に装着されていない状態において、装着方向（−Ｙ軸方向）に対して垂直であり、プリンター１０に装着されている状態において、装着方向（−Ｙ軸方向）に対して傾斜している。
【０１６５】
Ｈ−６．変形例６：
上記実施例では、様々な凸部９１５について説明したが、本発明はこれに限られない。また、実施例に記載した凸部９１５を組み合わせてもよい。例えば、第４実施例の凸部９１５Ｃ（図４６参照）と第５実施例の凸部９１５Ｄとを組み合わせることができる。
【０１６６】
図６０は、カートリッジ４の凸部９１５Ｃおよび凸部９１５Ｄとプリンター１０の凹部７７７および位置決め凸部７５６とが係合されている状態を示す外観斜視図である。図６０に示すように、カートリッジ４の凸部９１５Ｃは、プリンター１０の凹部７７７に挿入される。つまり、第１凸部９１５Ｃｔの突出部９１９Ｃｔは、凹部７７７ｔに挿入され、第２凸部９１５Ｃｗの突出部９１９Ｃｗは、凹部７７７ｗに挿入される。また、凸部９１５Ｄは、装置側端子部７０の位置決め凸部７５６と係合する。
【０１６７】
Ｈ−７．変形例７：
回路基板５０として、ＦＰＣ(Flexible Printed Circuit)基板を用いてもよい。
【０１６８】
Ｈ−８．変形例８：
本発明は、インクジェットプリンター及びそのインクカートリッジに限らず、インク以外の他の液体を噴射する任意の印刷装置及びそのカートリッジにも適用することができる。例えば、以下のような各種の印刷装置及びそのカートリッジに適用可能である。
（１）ファクシミリ装置等の画像記録装置
（２）液晶ディスプレー等の画像表示装置用のカラーフィルタの製造に用いられる色材を噴射する印刷装置
（３）有機ＥＬ(Electro Luminescence)ディスプレーや、面発光ディスプレー (Field Emission Display、ＦＥＤ)等の電極形成に用いられる電極材を噴射する印刷装置
（４）バイオチップ製造に用いられる生体有機物を含む液体を噴射する印刷装置
（５）精密ピペットとしての試料印刷装置
（６）潤滑油の印刷装置
（７）樹脂液の印刷装置
（８）時計やカメラ等の精密機械にピンポイントで潤滑油を噴射する印刷装置
（９）光通信素子等に用いられる微小半球レンズ（光学レンズ）などを形成するために紫外線硬化樹脂液等の透明樹脂液を基板上に噴射する印刷装置
（１０）基板などをエッチングするために酸性又はアルカリ性のエッチング液を噴射する印刷装置
（１１）他の任意の微小量の液滴を吐出させる液体噴射ヘッドを備える印刷装置
【０１６９】
なお、「液滴」とは、印刷装置から吐出される液体の状態をいい、粒状、涙状、糸状に尾を引くものも含むものとする。また、ここでいう「液体」とは、印刷装置が噴射させることができるような材料であれば良い。例えば、「液体」は、物質が液相であるときの状態の材料であれば良く、粘性の高い又は低い液状態の材料、及び、ゾル、ゲル水、その他の無機溶剤、有機溶剤、溶液、液状樹脂、液状金属（金属融液）のような液状態の材料も「液体」に含まれる。また、物質の一状態としての液体のみならず、顔料や金属粒子などの固形物からなる機能材料の粒子が溶媒に溶解、分散または混合されたものなども「液体」に含まれる。また、液体の代表的な例としては上記実施形態で説明したようなインクや液晶等が挙げられる。ここで、インクとは一般的な水性インクおよび油性インク並びにジェルインク、ホットメルトインク等の各種の液体状組成物を包含するものとする。
【符号の説明】
【０１７０】
１，１Ａ〜１Ｆ…印刷材供給システム、４…カートリッジ、５…キャップ部材、６…カートリッジ装着部、７…ポンプ機構、９…ケース、１０…プリンター、１１…前面カバー、１３…交換用カバー、１５…操作ボタン、２０…キャリッジ、２２…ヘッド、２４…チューブ、３０…駆動機構、３１…制御部、３２…タイミングベルト、３４…駆動モーター、４２…前面、４３…第１側面（上面）、４４…第２側面（底面）、４５…第３側面（右側面）、４６…第４側面（左側面）、４７…後面、４９…凹部、５０…回路基板、５０ｆａ…表面（傾斜面）、５０ｆｂ…裏面、６１…カートリッジ収容室、６２…装置側前壁部、６３…第１の装置側側壁部、６４…第２の装置側側壁部、６５…第３の装置側側壁部、６６…第４の装置側側壁部、６７…開口壁部、６９…開口、７０…装置側端子部、８８，８９…コーナー部、９０…凹部、９５…端子接続部、１３８…センサー、４２０…ロッド挿入孔、４２１…規制面、４２４…供給管挿入孔、４３２…第１凸部、４３６…第１係止部、４４２…第２凸部、４４６…第２係止部、４５０…印刷材収容部、４８０…カートリッジ側流路部材、４８２…検出室、４８４…印刷材導出管、４９０…レバー部材、４９１…カートリッジ側識別部材、４９２…フィルム、４９３…受圧板、４９５…逆止弁、４９６…コイルばね、５２１…カートリッジ側端子群、５２１ａ…カートリッジ側端子、５２２…接触部、５２５…記憶装置、６０２…第２のレール、６０４…板ばね、６１０…装置側識別部材、６１２…規制部材、６４０…印刷材供給機構、６４２…印刷材供給管、６４３…先端部、６４４…基端部、６４６…シール部材、６４７…供給流路、６４８…連通穴、６４９…取付部材、６５０…カバー部材、６５２…付勢部材、６５３…飛散防止部、６５５…連通部、６５６…貫通孔、６５８…当接部材、６５９…流通管、６６２…ロッド、６６３…一端部、６６４…他端部、６６５…付勢部材、６６６…遮光部、６７０…ロッドカバー、６７２…レバー、６８０…棒状部材、６８２…第１のレール、６８４…板ばね、６９０…第１の前壁部、６９２…第２の前壁部、６９４…端子装着部、６９４Ａ，６９４ｂ…係合部、６９６…支持壁、６９８…嵌合穴、７２１…装置側端子群、７２１ａ…装置側端子、７２１ｒ…軸、７２２…端子接点、７２２ａ…端子接点、７２３…端子接点、７２４…端子台、７２４ｆａ…表面、７２４ｆｂ…裏面、７３０…コネクター基板、７３２…端子群、７３９…コネクター、７５０…位置決め部、７５１…収容空間、７５２…壁部、７５２ｔ…第１壁部、７５２ｗ…第２壁部、７５４…位置決め凹部、７５６…位置決め凸部、７５６ｔ…第１の位置決め凸部、７５６ｗ…第２の位置決め凸部、７５６ｔａ，７５６ｗａ…Ａ面、７５６ｔｂ，７５６ｗｂ…Ｂ面、７５６ｔｃ，７５６ｗｃ…Ｃ面、７５６ｔｄ，７５６ｗｄ…Ｄ面、７５７…端部、７５９…突起、７５９ｔ…第１突起、７５９ｗ…第２突起、７６２…端子側嵌合部、７６２ａ，７６２ｂ…係合部、７７７…凹部、９００…端子収容室（端子収容部）、９０２…側壁、９０２ｔ，９０２ｔａ〜ｔｉ…第１の側壁、９０２ｗ，９０２ｗａ〜ｗｉ…第２の側壁、９０６…溝（規制部）、９０６ａ…規制部、９０６ｔ…第１の溝（第１の規制部）、９０６ｗ…第２の溝（第２の規制部）、９０６ｔａ，９０６ｗａ…凸部、９０６ｔａ１，９０６ｗａ１…溝、９０６ｔｂ１，９０６ｔｂ２，９０６ｗｂ１，９０６ｗｂ２…凸部、９０６ｔｃ１，９０６ｔｃ２，９０６ｗｃ１，９０６ｗｃ２…凸部、９０６ｔｄ，９０６ｔｅ，９０６ｗｄ，９０６ｗｅ…凸部、９０６ｔｆ１，９０６ｔｆ２，９０６ｗｆ１，９０６ｗｆ２…凸部、９０６ｔｇ１，９０６ｔｇ２，９０６ｗｇ１，９０６ｗｇ２…凸部、９０６ｔｈ，９０６ｔｉ，９０６ｗｈ，９０６ｗｉ…凸部、９１０…底壁側凹部、９１０ｔ…第１の底壁側凹部、９１０ｗ…第２の底壁側凹部、９１５，９１５Ａ，９１５Ｃ〜Ｆ…凸部、９１５ａ…下部、９１５ｂ…上部、９１５ｔ，９１５ｗ…側部、９１６，９１６ａ〜ｅ…入口部分、９１６ｔ…第１の入口部分、９１６ｗ…第２の入口部分、９２６…接触部分、９２６ｔ…第１の接触部分、９２６ｗ…第２の接触部分、９４０…第１の接触面、９４１…開口、９４２…Ａ面、９４４…Ｃ面、９４６…Ｂ面、９４８…Ｄ面、９５２ａ…第１凸部、９５２ｂ…第２凸部、９６０…第２の接触面、９６１…開口、９６２…Ａ面、９６６…Ｂ面、９６４…Ｃ面、９６８…Ｄ面、９７２ａ…第３凸部、９７２ｂ…第４凸部、９８２…開口、９８４…開口、９８６…後壁、９８８…底壁、Ｃ…中心軸、Ｓ１…ラベル、ＢＴ…ボルト、Ｘａ…寸法、Ｃｂ…中心軸、Ｘｂ…寸法、Ｃｅ…中心軸、Ｃ１…列、Ｃ２…列、Ｓ…バネ、ＶＳ…仮想面
【図１】
2017056706.tif 000003
【図２】
2017056706.tif 000004
【図３】
2017056706.tif 000005
【図４】
2017056706.tif 000006
【図５】
2017056706.tif 000007
【図６】
2017056706.tif 000008
【図７】
2017056706.tif 000009
【図８】
2017056706.tif 000010
【図９】
2017056706.tif 000011
【図１０】
2017056706.tif 000012
【図１１】
2017056706.tif 000013
【図１２】
2017056706.tif 000014
【図１３】
2017056706.tif 000015
【図１４】
2017056706.tif 000016
【図１５】
2017056706.tif 000017
【図１６】
2017056706.tif 000018
【図１７】
2017056706.tif 000019
【図１８】
2017056706.tif 000020
【図１９】
2017056706.tif 000021
【図２０】
2017056706.tif 000022
【図２１】
2017056706.tif 000023
【図２２】
2017056706.tif 000024
【図２３】
2017056706.tif 000025
【図２４】
2017056706.tif 000026
【図２５】
2017056706.tif 000027
【図２６】
2017056706.tif 000028
【図２７】
2017056706.tif 000029
【図２８】
2017056706.tif 000030
【図２９】
2017056706.tif 000031
【図３０】
2017056706.tif 000032
【図３１】
2017056706.tif 000033
【図３２】
2017056706.tif 000034
【図３３】
2017056706.tif 000035
【図３４】
2017056706.tif 000036
【図３５】
2017056706.tif 000037
【図３６】
2017056706.tif 000038
【図３７】
2017056706.tif 000039
【図３８】
2017056706.tif 000040
【図３９】
2017056706.tif 000041
【図４０】
2017056706.tif 000042
【図４１】
2017056706.tif 000043
【図４２】
2017056706.tif 000044
【図４３】
2017056706.tif 000045
【図４４】
2017056706.tif 000046
【図４５】
2017056706.tif 000047
【図４６】
2017056706.tif 000048
【図４７】
2017056706.tif 000049
【図４８】
2017056706.tif 000050
【図４９】
2017056706.tif 000051
【図５０】
2017056706.tif 000052
【図５１】
2017056706.tif 000053
【図５２】
2017056706.tif 000054
【図５３】
2017056706.tif 000055
【図５４】
2017056706.tif 000056
【図５５】
2017056706.tif 000057
【図５６】
2017056706.tif 000058
【図５７】
2017056706.tif 000059
【図５８】
2017056706.tif 000060
【図５９】
2017056706.tif 000061
【図６０】
2017056706.tif 000062